(57)【特許請求の範囲】
【請求項１】
物体側から像側に順に、
正の屈折力の第１レンズ群と、
負の屈折力の第２レンズ群と、
全体で正の屈折力のリアレンズ群グループからなり、
前記第１レンズ群は光線を反射させる反射面を含む反射部材を含み、
前記リアレンズ群グループは、物体側から像側に順に、正の屈折力の第３レンズ群と、負の屈折力の第４レンズ群と、正の屈折力の第５レンズ群の３つのレンズ群からなり、
広角端から望遠端への変倍の際に、前記各レンズ群の間の距離が変化し、
以下の条件式（１）、（２）、（３）、（４）を満足することを特徴とする光路反射型ズームレンズ。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
０．５＜βＲＴ／βＲＷ＜３              （４）
但し、
ｆ１Ｇは、前記第１レンズ群の焦点距離、
ｆ２Ｇは、前記第２レンズ群の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
βＲＴは、望遠端における最も遠距離に合焦した際の前記リアレンズ群グループの横倍率、
βＲＷは、広角端における最も遠距離に合焦した際の前記リアレンズ群グループの横倍率、
である。
【請求項２】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
以下の条件式（１’）、（２）、（３）、（１６）を満足することを特徴とする光路反射型ズームレンズ。
０．１＜ｆ１Ｇ／ｆＴ≦０．３３１        （１’）
−０．５＜ｆ２Ｇ／ｆＴ＜−０．０５      （２）
５．５＜β２Ｔ／β２Ｗ＜２０            （３）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
である。
【請求項３】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
以下の条件式（１）、（２’）、（３）、（１６）を満足することを特徴とする光路反射型ズームレンズ。
０．１＜ｆ１Ｇ／ｆＴ＜０．８            （１）
−０．１８＜ｆ２Ｇ／ｆＴ＜−０．０５      （２’）
５．５＜β２Ｔ／β２Ｗ＜２０            （３）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
である。
【請求項４】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
以下の条件式（１）、（２）、（３）、（９’）、（１６）を満足することを特徴とする光路反射型ズームレンズ。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
２．１＜Ｐ／ｆＷ＜５              （９’）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
Ｐは、前記反射部材の物体側面から像側面までの光軸に沿った実距離、
である。
【請求項５】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
前記第１レンズ群における前記反射面よりも像側のレンズ群は、像側サブレンズ群であり、
以下の条件式（１）、（２）、（３）、（１０’）、（１１）、（１６）を満足することを特徴とする光路反射型ズームレンズ。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
２５＜｜νｄ１−νｄ２｜＜７０    （１０’）
２０＜｜νｄ１−νｄ３｜＜７０    （１１）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
νｄ１は、前記第１レンズ群中の最も物体側にある負レンズのｄ線基準のアッベ数、
νｄ２は、前記第１レンズ群中の前記像側サブレンズ群の物体側にある正レンズｄ線基準のアッベ数、
νｄ３は、前記第１レンズ群中の前記像側サブレンズ群の像側にある正レンズｄ線基準のアッベ数、
である。
【請求項６】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
前記第２レンズ群が、物体側から像側に順に、第１のメニスカス負レンズ、第２のメニスカス負レンズ、正レンズからなり、
前記第１のメニスカス負レンズと前記第２のメニスカス負レンズが以下の条件式（１２）、（１３）を満足し、
以下の条件式（１）、（２）、（３）、（１６）を満足することを特徴とする光路反射型ズームレンズ。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
１＜ＳＦ２１        （１２）
ＳＦ２２＜−１      （１３）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
ＳＦ２１は、前記第１のメニスカス負レンズの形状ファクターであり、
ＳＦ２２は、前記第２のメニスカス負レンズの形状ファクターであり、
前記第１のメニスカス負レンズの物体側面の近軸曲率半径をＲ２１、
前記第１のメニスカス負レンズの像側面の近軸曲率半径をＲ２２、
前記第２のメニスカス負レンズの物体側面の近軸曲率半径をＲ２３、
前記第２のメニスカス負レンズの像側面の近軸曲率半径をＲ２４としたとき、
ＳＦ２１＝（Ｒ２１＋Ｒ２２）／（Ｒ２１−Ｒ２２）、
ＳＦ２２＝（Ｒ２３＋Ｒ２４）／（Ｒ２３−Ｒ２４）、
である。
【請求項７】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
広角端から望遠端への変倍の際に、前記各レンズ群の間の距離が変化し、
前記リアレンズ群グループのうち、負屈折力を持つレンズ群が正レンズと負レンズを接合した接合レンズからなり、
以下の条件式（１）、（２）、（３）、（１４）、（１６）を満足することを特徴とする光路反射型ズームレンズ。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
０．１＜｜ｎｄ１−ｎｄ２｜＜０．５      （１４）
１．０＜ｆＷ／ＩＨｍａｘ＜１．４３      （１６）
但し、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
ＩＨｍａｘは、光路反射型ズームレンズにおける像高であり、像高が変化する場合はとりうる範囲での最大値、
ｎｄ１は、前記接合レンズの前記正レンズのｄ線における屈折率、
ｎｄ２は、前記接合レンズの前記負レンズのｄ線における屈折率、
である。
【請求項８】
物体側から像側に順に、
正の屈折力の第１レンズ群と、
負の屈折力の第２レンズ群と、
複数のレンズ群を含み全体で正の屈折力のリアレンズ群グループからなり、
前記第１レンズ群は光線を反射させる反射面を含む反射部材を含み、
前記反射部材は前記反射面を内面反射面として有し且つ物体側の屈折面である物体側面と像側の屈折面である像側面を持つ反射プリズムからなり、
前記第１レンズ群における前記反射面よりも物体側の合成屈折力は負の屈折力であり、
前記第１レンズ群における前記反射面よりも像側の合成屈折力は正の屈折力であり、
前記リアレンズ群グループは、物体側から像側に順に、
物体側サブレンズ群グループと、レンズ群中にて間隔が全て一定の像側レンズ群からなり、
広角端から望遠端への変倍の際に、前記各レンズ群の間の距離が変化し、
以下の条件式（５）、（６）、（７）、（８）を満足することを特徴とする光路反射型ズームレンズ。
０．１＜ｆ１Ｇ／ｆＴ＜０．３８                        （５）
−０．１８＜ｆ２Ｇ／ｆＴ＜−０．０９                  （６）
７＜（β２Ｔ×βＲＦＴ）／（β２Ｗ×βＲＦＷ）＜２０  （７）
２．１＜Ｐ／ｆＷ＜３．１                              （８）
ただし、
ｆ１Ｇは、前記第１レンズ群の焦点距離、
ｆ２Ｇは、前記第２レンズ群の焦点距離、
ｆＷは、広角端における最も遠距離に合焦した際の前記ズームレンズ全系の焦点距離、
ｆＴは、望遠端における最も遠距離に合焦した際の前記ズームレンズ全系の焦点距離、
β２Ｔは、望遠端における最も遠距離に合焦した際の前記第２レンズ群の横倍率、
β２Ｗは、広角端における最も遠距離に合焦した際の前記第２レンズ群の横倍率、
βＲＦＴは、望遠端における最も遠距離に合焦した際の前記物体側サブレンズ群グループの横倍率、
βＲＦＷは、広角端における最も遠距離に合焦した際の前記物体側サブレンズ群グループの横倍率、
Ｐは、前記第１レンズ群中の前記反射部材の前記物体側面から前記像側面までの光軸に沿った実距離、
である。
【請求項９】
前記物体側サブレンズ群グループが広角端から望遠端への変倍に際して移動する複数のレンズ群を含むことを特徴とする請求項８に記載の光路反射型ズームレンズ。
【請求項１０】
前記物体側サブレンズ群グループが広角端から望遠端への変倍に際して相互に間隔を変化させて移動する正レンズ群と負レンズ群を含むことを特徴とする請求項９に記載の光路反射型ズームレンズ。
【請求項１１】
前記第１レンズ群は、前記反射部材と、前記反射部材よりも物体側に配置された負屈折力の物体側サブレンズ群と前記反射部材よりも像側に配置された正屈折力の像側サブレンズ群からなり、前記物体側サブレンズ群が像側に凹面を向けた１つの負レンズからなり、前記像側サブレンズ群が２つの正レンズからなることを特徴とする請求項１〜１０のいずれか一項に記載の光路反射型ズームレンズ。
【請求項１２】
以下の条件式（９）を満足することを特徴とする請求項１に記載の光路反射型ズームレンズ。
１．２＜Ｐ／ｆＷ＜５              （９）
ただし、
ｆＷは、広角端における前記ズームレンズ全系の焦点距離であって、最も遠距離に合焦した際の焦点距離、
Ｐは、前記反射部材の物体側面から像側面までの光軸に沿った実距離、
である。
【請求項１３】
前記第１レンズ群における前記反射面よりも像側のレンズ群は、像側サブレンズ群であり、
以下の条件式（１０）、（１１）を満足することを特徴とする請求項１〜１２のいずれか一項に記載の光路反射型ズームレンズ。
２０＜｜νｄ１−νｄ２｜＜７０    （１０）
２０＜｜νｄ１−νｄ３｜＜７０    （１１）
ただし、
νｄ１は、前記第１レンズ群中の最も物体側にある負レンズのｄ線基準のアッベ数、
νｄ２は、前記第１レンズ群中の前記像側サブレンズ群の物体側にある正レンズｄ線基準のアッベ数、
νｄ３は、前記第１レンズ群中の前記像側サブレンズ群の像側にある正レンズｄ線基準のアッベ数、
である。
【請求項１４】
前記第２レンズ群が、物体側から像側に順に、第１のメニスカス負レンズ、第２のメニスカス負レンズ、正レンズからなり、
前記第１のメニスカス負レンズと前記第２のメニスカス負レンズが以下の条件式（１２）、（１３）を満足することを特徴とする請求項１〜１３のいずれか一項に記載の光路反射型ズームレンズ。
１＜ＳＦ２１        （１２）
ＳＦ２２＜−１      （１３）
ただし、
ＳＦ２１は、前記第１のメニスカス負レンズの形状ファクターであり、
ＳＦ２２は、前記第２のメニスカス負レンズの形状ファクターであり、
前記第１のメニスカス負レンズの物体側面の近軸曲率半径をＲ２１、
前記第１のメニスカス負レンズの像側面の近軸曲率半径をＲ２２、
前記第２のメニスカス負レンズの物体側面の近軸曲率半径をＲ２３、
前記第２のメニスカス負レンズの像側面の近軸曲率半径をＲ２４としたとき、
ＳＦ２１＝（Ｒ２１＋Ｒ２２）／（Ｒ２１−Ｒ２２）、
ＳＦ２２＝（Ｒ２３＋Ｒ２４）／（Ｒ２３−Ｒ２４）、
である。
【請求項１５】
前記リアレンズ群グループのうち、負屈折力を持つレンズ群が正レンズと負レンズを接合した接合レンズからなり、
下記の条件式（１４）を満足することを特徴とする請求項１〜１４のいずれか一項に記載の光路反射型ズームレンズ。
０．１＜｜ｎｄ１−ｎｄ２｜＜０．５      （１４）
ただし、
ｎｄ１は、前記接合レンズの前記正レンズのｄ線における屈折率、
ｎｄ２は、前記接合レンズの前記負レンズのｄ線における屈折率、
である。
【請求項１６】
リアレンズ群グループが、物体側から像側に順に、１つまたは２つの正屈折力のレンズ群からなる正レンズ群グループと、負屈折力の負レンズ群と、正屈折力の正レンズ群からなり、
広角端から望遠端への変倍の際に各レンズ群の間の距離が変化することを特徴とする請求項１〜１５のいずれか一項に記載の光路反射型ズームレンズ。
【請求項１７】
以下の条件式（１５）を満足することを特徴とする請求項１６に記載の光路反射型ズームレンズ。
０．２５＜（βＲＮＴ／βＲＮＷ）／（βＲＰＦＴ／βＲＰＦＷ）＜７  （１５）
ただし、
βＲＮＴは、前記リアレンズ群グループ中の前記負レンズ群の望遠端における最も遠距離に合焦した際の横倍率、
βＲＮＷは、前記リアレンズ群グループ中の前記負レンズ群の広角端における最も遠距離に合焦した際の横倍率、
βＲＰＦＴは、前記リアレンズ群グループ中の前記正レンズ群グループの望遠端における最も遠距離に合焦した際の横倍率、
βＲＰＦＷは、前記リアレンズ群グループ中の前記正レンズ群グループの広角端における最も遠距離に合焦した際の横倍率、
である。
【請求項１８】
前記リアレンズ群グループ中の前記負の屈折力のレンズ群が、１つの単レンズ又は接合レンズからなり、フォーカシングのために移動し、
前記リアレンズ群中の前記負レンズよりも像側の前記正レンズ群が変倍時に固定されることを特徴とする請求項１６または請求項１７に記載の光路反射型ズームレンズ。
【請求項１９】
請求項１から請求項１８のいずれか一項に記載の光路反射型ズームレンズと、
該光路反射型ズームレンズの像側に配置され、前記光路反射型ズームレンズにより形成される光学像を電気信号に変換する撮像素子を有することを特徴とする撮像装置。
【発明の詳細な説明】
【技術分野】
【０００１】
本発明は、ズームレンズ、特に光路反射型のズームレンズおよびこのズームレンズを備えた撮像装置に関するものである。
【背景技術】
【０００２】
光路反射型のズームレンズとして、特許文献１に開示されたズームレンズがある。特許文献１には、２つのズームレンズが開示されている。
１つは、物体側から像側に順に、正の屈折力の第１レンズ群、負の屈折力の第２レンズ群、正の屈折力の第３レンズ群、正の屈折力の第４レンズ群、負の屈折力の第５レンズ群からなるズームレンズである。
もう１つは、正の屈折力の第１レンズ群、負の屈折力の第２レンズ群、正の屈折力の第３レンズ群、負の屈折力の第４レンズ群、正の屈折力の第５レンズ群からなるズームレンズである。特許文献１のズームレンズは、１３５フォーマット換算で広角端焦点距離が３５ｍｍに相当する画角を有し、変倍比が７となっている。
【先行技術文献】
【特許文献】
【０００３】
【特許文献１】特開２００７−３０４１９５号公報
【発明の概要】
【発明が解決しようとする課題】
【０００４】
光路反射型のズームレンズは、撮影装置の薄型化に向いている。このようなズームレンズは、使用時においても、光学系全体が撮影装置の本体に内蔵されたままになる。そのため、光学系の大きさが制限されやすいが、高変倍比化により画角の選択自由度を大きくすることが好ましい。
【０００５】
しかしながら、これまでのところ、高い変倍比を備えた光路反射型のズームレンズは実現されていない。より具体的には、高い変倍比を備え、かつ小型で光学性能も良好な光路反射型のズームレンズは実現されていない。もしくは、高い変倍比を備え、小型で広角端での画角が広い光路反射型のズームレンズは実現されていない。
【０００６】
本発明は、このような課題に鑑み、高い変倍比を備え、かつ小型で光学性能も良好な光路反射型のズームレンズ、及びこのズームレンズを備えた撮像装置を提供することを目的とする。また、高い変倍比を備え、小型で広角端での画角が広い光路反射型ズームレンズ、及びこの光路反射型ズームレンズを備えた撮像装置を提供することを目的とする。
【課題を解決するための手段】
【０００７】
第１の発明の光路反射型ズームレンズは、
物体側から像側に順に、
正の屈折力の第１レンズ群と、
負の屈折力の第２レンズ群と、
全体で正の屈折力のリアレンズ群グループからなり、
第１レンズ群は光線を反射させる反射面を含む反射部材を含み、
リアレンズ群グループは、物体側から像側に順に、正の屈折力の第３レンズ群と、負の屈折力の第４レンズ群と、正の屈折力の第５レンズ群の３つのレンズ群からなり、
広角端から望遠端への変倍の際に、各レンズ群の間の距離が変化し、
以下の条件式（１）、（２）、（３）、（４）を満足することを特徴とする。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
０．５＜βＲＴ／βＲＷ＜３              （４）
但し、
ｆ１Ｇは、第１レンズ群の焦点距離、
ｆ２Ｇは、第２レンズ群の焦点距離、
ｆＴは、望遠端における最も遠距離に合焦した際のズームレンズ全系の焦点距離、
β２Ｔは、望遠端における最も遠距離に合焦した際の第２レンズ群の横倍率、
β２Ｗは、広角端における最も遠距離に合焦した際の第２レンズ群の横倍率、
βＲＴは、望遠端における最も遠距離に合焦した際のリアレンズ群グループの横倍率、
βＲＷは、広角端における最も遠距離に合焦した際のリアレンズ群グループの横倍率、
である。
【０００８】
第１の発明の光路反射型ズームレンズでは、正の屈折力の第１レンズ群と負の屈折力の第２レンズ群のそれぞれに、適切な屈折力を持たせるようにしている。これにより、負の屈折力の第２レンズ群の移動量による変倍作用を十分に大きくすることができる。その結果、変倍比が大きいにもかかわらず、厚さ方向や光学系の全長が短いズームレンズを実現できる。なお、変倍作用は、変倍比、変倍率、変倍量等、変倍の大きさを表す量によって表現することもできる。
【０００９】
また、第１の発明の光路反射型ズームレンズでは、リアレンズ群グループを、正の屈折力の第３レンズ群と、負の屈折力の第４レンズ群と、正の屈折力の第５レンズ群で構成している。このようにすることで、第２レンズ群から第４レンズ群までのレンズ群において、その有効径を小さくすることができる。そのため、これらのレンズ群を移動させたとしても、移動機構を含めた全体のサイズを小さくすることができる。さらに、撮像装置の厚さ方向（被写体から撮像装置に向かう方向）の小型化に有利となる。
【００１０】
なお、ズームレンズの全長が長くなることを抑えた状態で、リアレンズ群グループが負担する変倍作用の割合を多くすると、リアレンズ群グループで発生する色収差、特に望遠端で発生する色収差が大きくなる。そこで、第１の発明のズームレンズは、条件式（１）、（２）、（３）、（４）を満足するように構成している。
【００１１】
条件式（１）は、第１レンズ群の好ましい焦点距離を特定するものである。条件式（１）を満足することで、第２レンズ群において必要な変倍作用を得ることができると共に、第１レンズ群における収差を低減することができる。
【００１２】
条件式（１）の下限値を下回らないように第１レンズ群の屈折力の過剰を抑えることで第１レンズ群での収差低減に有利となる。
条件式（１）の上限値を上回らないように第１レンズ群の屈折力を確保することで、第２レンズ群での変倍負担の確保につながる。
【００１３】
条件式（２）は第２レンズ群の好ましい焦点距離を特定するものである。
条件式（２）の下限値を下回らないように第２レンズ群の屈折力を確保することで、第２レンズ群での変倍負担の確保につながる。
条件式（２）の上限値を上回らないように第２レンズ群の屈折力の過剰を抑えることで第２レンズ群での収差低減に有利となる。
【００１４】
条件式（３）は第２レンズ群の好ましい変倍負担を特定するものである。
条件式（３）の下限値を下回らないように第２レンズ群の変倍負担を十分に確保することでリアレンズ群グループでの変倍負担の増加による軸上の色収差を抑えやすくなる。
上限値を上回らないように第２レンズ群の変倍負担の過剰を抑えることで広角側での非点収差を抑えやすくなる。
【００１５】
条件式（４）はリアレンズ群グループの好ましい変倍負担を特定するものである。
条件式（４）の下限値を下回らないようにすることでリアレンズ群グループの過剰な減倍を抑えられ、第２レンズ群での変倍負担軽減による第２レンズ群の移動量の低減となりズームレンズの小型化につながる。もしくは、第２レンズ群の屈折力を抑えやすくなり収差を抑えやすくなる。
条件式（４）の上限値を上回らないようにすることでリアレンズ群グループでの軸上収差を軽減しやすくなりリアレンズ群グループのレンズ枚数の低減などの低コスト化に有利となる。
【００１６】
このように構成することで、変倍比を確保しつつも小型で光学性能も良好な光路反射型のズームレンズを提供できる。
【００１７】
また、第２の発明の光路反射型ズームレンズは、
物体側から像側に順に、
正の屈折力の第１レンズ群と、
負の屈折力の第２レンズ群と、
複数のレンズ群を含み全体で正の屈折力のリアレンズ群グループからなり、
第１レンズ群は光線を反射させる反射面を含む反射部材を含み、
反射部材は反射面を内面反射面として有し且つ物体側の屈折面である物体側面と像側の屈折面である像側面を持つ反射プリズムからなり、
第１レンズ群における反射面よりも物体側の合成屈折力は負の屈折力であり、
第１レンズ群における反射面よりも像側の合成屈折力は正の屈折力であり、
広角端から望遠端への変倍の際に、各レンズ群の間の距離が変化し、
以下の条件式（１）、（２）、（３）、（１６）を満足することを特徴とする。
０．１＜ｆ１Ｇ／ｆＴ＜０．８            （１）
−０．５＜ｆ２Ｇ／ｆＴ＜−０．０５      （２）
５．５＜β２Ｔ／β２Ｗ＜２０            （３）
１．０＜ｆＷ／ＩＨｍａｘ＜１．４３      （１６）
但し、
ｆ１Ｇは、第１レンズ群の焦点距離、
ｆ２Ｇは、第２レンズ群の焦点距離、
ｆＷは、広角端における最も遠距離に合焦した際のズームレンズ全系の焦点距離、
ｆＴは、望遠端における最も遠距離に合焦した際のズームレンズ全系の焦点距離、
β２Ｔは、望遠端における最も遠距離に合焦した際の第２レンズ群の横倍率、
β２Ｗは、広角端における最も遠距離に合焦した際の第２レンズ群の横倍率、
ＩＨｍａｘは、光路反射型ズームレンズにおける像高であり、像高が変化する場合はとりうる範囲での最大値、
である。
更に、第２の発明の光路反射型ズームレンズは、以下の（Ａ）〜（Ｆ）のいずれか１つを備える。各条件式の詳細な説明は後述する。
（Ａ）条件式（１）に代えて、以下の条件式（１’）を満足する。
０．１＜ｆ１Ｇ／ｆＴ≦０．３３１        （１’）
（Ｂ）条件式（２）に代えて、以下の条件式（２’）を満足する。
−０．１８＜ｆ２Ｇ／ｆＴ＜−０．０５      （２’）
（Ｃ）以下の条件式（９’）を満足する。
２．１＜Ｐ／ｆＷ＜５              （９’）
（Ｄ）以下の条件式（１０’）、（１１）を満足する。
２５＜｜νｄ１−νｄ２｜＜７０    （１０’）
２０＜｜νｄ１−νｄ３｜＜７０    （１１）
（Ｅ）第２レンズ群が、物体側から像側に順に、第１のメニスカス負レンズ、第２のメニスカス負レンズ、正レンズからなり、第１のメニスカス負レンズと第２のメニスカス負レンズが以下の条件式（１２）、（１３）を満足する。
１＜ＳＦ２１        （１２）
ＳＦ２２＜−１      （１３）
（Ｆ）リアレンズ群グループのうち、負屈折力を持つレンズ群が正レンズと負レンズを接合した接合レンズからなり、以下の条件式（１４）を満足する。
０．１＜｜ｎｄ１−ｎｄ２｜＜０．５      （１４）
【００１８】
正屈折力の第１レンズ群、負屈折力の第２レンズ群の屈折力を確保して、負屈折力の第２レンズ群の移動量に対する変倍負担を確保することで、ズームレンズ全体の変倍比を確保し厚さ方向、全長ともに小さい光路反射型ズームレンズとなる。
【００１９】
第１レンズ群の構成について、説明する。
第１レンズ群中の内部反射面よりも物体側の合成屈折力を負の屈折力とし、内部反射面よりも像側を正の屈折力とする。これにより、第１レンズ群がワイドコンバージョンレンズのように振る舞い、広角端での画角の確保に有利となる。また、反射部材をプリズムにて構成することで、プリズム内の光路の空気換算距離を小さくできる。これにより、ズームレンズの入射側の有効径の小型化とズームレンズの厚さ方向の小型化に有利となる。
そして、上述の各条件式を同時に満足する構成としている。
【００２０】
条件式（１）は第１レンズ群の好ましい焦点距離を特定するものである。
条件式（１）の下限値を下回らないように第１レンズ群の屈折力の過剰を抑えることで第１レンズ群での収差低減に有利となる。
条件式（１）の上限値を上回らないように第１レンズ群の屈折力を確保することで、第２レンズ群での変倍負担の確保につながる。
【００２１】
条件式（２）は第２レンズ群の好ましい焦点距離を特定するものである。
条件式（２）の下限値を下回らないように第２レンズ群の屈折力を確保することで、第２レンズ群での変倍負担の確保につながる。
条件式（２）の上限値を上回らないように第２レンズ群の屈折力の過剰を抑えることで第２レンズ群での収差低減に有利となる。
【００２２】
条件式（３）は第２レンズ群の好ましい変倍負担を特定するものである。
条件式（３）の下限値を下回らないように第２レンズ群の変倍負担を十分に確保することでリアレンズ群グループでの変倍負担の増加による軸上の色収差を抑えやすくなる。
条件式（３）の上限値を上回らないように第２レンズ群の変倍負担の過剰を抑えることで広角側での非点収差を抑えやすくなる。
【００２３】
条件式（１６）は光路反射型ズームレンズの好ましい広角端焦点距離を特定するものである。
条件式（１６）の下限値を下回らないようにすることで、広角端での第１レンズ群での有効径を小さくでき、プリズムの大きさを適度に抑えられ、ズームレンズの小型化につながる。
条件式（１６）の上限値を上回らないようにして、広角端での焦点距離が長くならないようにすることで、高変倍比化したときの望遠端での明るさを確保しやすくなる。そのための第１レンズ群での有効径の増大を抑えやすくなり小型化につながる。
【００２４】
このように構成することで、変倍比を確保しつつも小型で広角端での画角も確保し易い光路反射型のズームレンズを提供できる。
【００２５】
また、第３の発明の光路反射型ズームレンズは、
物体側から像側に順に、
正の屈折力の第１レンズ群と、
負の屈折力の第２レンズ群と、
複数のレンズ群を含み全体で正の屈折力のリアレンズ群グループからなり、
第１レンズ群は光線を反射させる反射面を含む反射部材を含み、
反射部材は反射面を内面反射面として有し且つ物体側の屈折面である物体側面と像側の屈折面である像側面を持つ反射プリズムからなり、
第１レンズ群における反射面よりも物体側の合成屈折力は負の屈折力であり、
第１レンズ群における反射面よりも像側の合成屈折力は正の屈折力であり、
リアレンズ群グループは、物体側から像側に順に、
物体側サブレンズ群グループと、レンズ群中にて間隔が全て一定の像側レンズ群からなり、
広角端から望遠端への変倍の際に、各レンズ群の間の距離が変化し、
以下の条件式（５）、（６）、（７）、（８）を満足することを特徴とする。
０．１＜ｆ１Ｇ／ｆＴ＜０．３８                        （５）
−０．１８＜ｆ２Ｇ／ｆＴ＜−０．０９                  （６）
７＜（β２Ｔ×βＲＦＴ）／（β２Ｗ×βＲＦＷ）＜２０  （７）
２．１＜Ｐ／ｆＷ＜３．１                              （８）
ただし、
ｆ１Ｇは、第１レンズ群の焦点距離、
ｆ２Ｇは、第２レンズ群の焦点距離、
ｆＷは、広角端における最も遠距離に合焦した際のズームレンズ全系の焦点距離、
ｆＴは、望遠端における最も遠距離に合焦した際のズームレンズ全系の焦点距離、
β２Ｔは、望遠端における最も遠距離に合焦した際の第２レンズ群の横倍率、
β２Ｗは、広角端における最も遠距離に合焦した際の第２レンズ群の横倍率、
βＲＦＴは、望遠端における最も遠距離に合焦した際の物体側サブレンズ群グループの横倍率、
βＲＦＷは、広角端における最も遠距離に合焦した際の物体側サブレンズ群グループの横倍率、
Ｐは、第１レンズ群中の反射部材の物体側面から像側面までの光軸に沿った実距離、
である。
【００２６】
正屈折力の第１レンズ群、負屈折力の第２レンズ群の屈折力を確保して、負屈折力の第２レンズ群の移動量に対する変倍負担を確保することで、ズームレンズ全体の変倍比を確保し厚さ方向、全長ともに小さい光路反射型ズームレンズとなる。
【００２７】
第１レンズ群の構成について、説明する。
第１レンズ群中の内部反射面よりも物体側の合成屈折力を負の屈折力とし、内部反射面よりも像側を正の屈折力とする。このことで第１レンズ群がワイドコンバージョンレンズのように振る舞い、広角端での画角の確保に有利となる。また、反射部材をプリズムにて構成する。これにより、プリズム内の光路の空気換算距離を小さくでき、ズームレンズの入射側の有効径の小型化とズームレンズの厚さ方向の小型化に有利となる。
そして、上述の各条件式を同時に満足する構成としている。
【００２８】
条件式（５）は第１レンズ群の好ましい焦点距離を特定するものであり、条件式（１）の上限値を限定したものである。
条件式（５）の下限値を下回らないように第１レンズ群の屈折力の過剰を抑えることで第１レンズ群での収差低減に有利となる。
条件式（５）の上限値を上回らないように第１レンズ群の屈折力をより確保することで、第２レンズ群での変倍負担の確保につながる。
【００２９】
条件式（６）は第２レンズ群の好ましい焦点距離を特定するものであり、条件式（２）の下限値を限定したものである。
条件式（６）の下限値を下回らないように第２レンズ群の屈折力をより確保することで、第２レンズ群での変倍負担の確保につながる。
条件式（６）の上限値を上回らないように第２レンズ群の屈折力の過剰を抑えることで第２レンズ群での収差低減に有利となる。
【００３０】
条件式（７）は第２レンズ群と物体側サブレンズ群グループの合成系の好ましい変倍負担を特定したものである。
条件式（７）の下限値を下回らないように第２レンズ群と物体側サブレンズ群グループの合成系の変倍寄与を確保する。これにより、像側レンズ群での増倍負担を軽減でき、ズーミング駆動のためのメカ構成の複雑化を抑えやすくなる。
条件式（７）の上限値を上回らないようにすることで、リアレンズ群グループでの変倍寄与を軽減しやすくなり、軸上の色収差の変動を抑えやすくなる。
【００３１】
条件式（８）は第１レンズ群中のプリズムの好ましい大きさを特定するものである。
条件式（８）の下限値を下回らないようにプリズムの大きさを確保することで、広画角高変倍時の周辺光量の確保に有利となる。
条件式（８）の上限値を上回らないようにプリズムの大きさを適度に抑えることで、ズームレンズの小型化につながる。
このように構成することで、変倍比を確保しつつも小型で広角端での画角も確保し易い光路反射型のズームレンズを提供できる。
【００３２】
また、本発明の好ましい態様によれば、物体側サブレンズ群グループが広角端から望遠端への変倍に際して移動する複数のレンズ群を含むことが望ましい。
【００３３】
また、本発明の好ましい態様によれば、物体側サブレンズ群グループが広角端から望遠端への変倍に際して相互に間隔を変化させて移動する正レンズ群と負レンズ群を含むことが望ましい。
【００３４】
これにより、変倍比の確保などに有利となる。
また、いずれの構成も同時に満足することがより好ましい。
また、以下に示す構成の一つもしくは複数を同時に満足することがより好ましい。
【００３５】
また、本発明の好ましい態様によれば、第１レンズ群は、反射部材と、反射部材よりも物体側に配置された負屈折力の物体側サブレンズ群と反射部材よりも像側に配置された正屈折力の像側サブレンズ群からなり、物体側サブレンズ群が像側に凹面を向けた１つの負レンズからなり、像側サブレンズ群が２つの正レンズからなることが望ましい。
【００３６】
第１レンズ群中のレンズ配置がワイドコンバージョンレンズのような配置となり広角端での画角の確保に有利となる。加えて、第１レンズ群に必要な正の屈折力の確保を行いつつ反射部材を配置するスペースを適度に確保でき第１レンズ群の小型化に有利となる。この結果、ズームレンズの厚さ方向の小型化に有利となる。
【００３７】
また、本発明の好ましい態様によれば、以下の条件式（９）を満足することが望ましい。
１．２＜Ｐ／ｆＷ＜５              （９）
ただし、
ｆＷは、広角端におけるズームレンズ全系の焦点距離であって、最も遠距離に合焦した際の焦点距離、
Ｐは、反射部材の物体側面から像側面までの光軸に沿った実距離、
である。
【００３８】
条件式（９）の下限値を下回らないようにすることで、反射部材を配置するスペースを確保しやすくなり、画角および周辺の光量の確保に有利となる。
条件式（９）の上限値を上回らないようにすることで反射部材を小型にでき、ズームレンズの厚さ方向の小型化に有利となる。
【００３９】
また、本発明の好ましい態様によれば、以下の条件式（１０）、（１１）を満足することが望ましい。
２０＜｜νｄ１−νｄ２｜＜７０    （１０）
２０＜｜νｄ１−νｄ３｜＜７０    （１１）
ただし、
νｄ１は、第１レンズ群中の最も物体側にある負レンズのｄ線基準のアッベ数、
νｄ２は、第１レンズ群中の像側サブレンズ群の物体側にある正レンズｄ線基準のアッベ数、
νｄ３は、第１レンズ群中の像側サブレンズ群の像側にある正レンズｄ線基準のアッベ数、
である。
【００４０】
高変倍かつ光学全長を抑えた光学系では、条件式（１０）、（１１）の下限値を下回らないようにアッベ数差を確保することで、第１レンズ群中の最も物体側にある負レンズで発生した倍率色収差を効率よく抑えることができる。
条件式（１０）、（１１）の上限値を上回らないようにすることで、組み合わせる材料の加工性の低減を抑え、コストの面でも有利となる。
【００４１】
また、本発明の好ましい態様によれば、第２レンズ群が、物体側から像側に順に、第１のメニスカス負レンズ、第２のメニスカス負レンズ、正レンズからなり、
第１のメニスカス負レンズと第２のメニスカス負レンズが以下の条件式（１２）、（１３）を満足することが望ましい。
１＜ＳＦ２１        （１２）
ＳＦ２２＜−１      （１３）
ただし、
ＳＦ２１は、第１のメニスカス負レンズの形状ファクターであり、
ＳＦ２２は、第２のメニスカス負レンズの形状ファクターであり、
第１のメニスカス負レンズの物体側面の近軸曲率半径をＲ２１、
第１のメニスカス負レンズの像側面の近軸曲率半径をＲ２２、
第２のメニスカス負レンズの物体側面の近軸曲率半径をＲ２３、
第２のメニスカス負レンズの像側面の近軸曲率半径をＲ２４としたとき、
ＳＦ２１＝（Ｒ２１＋Ｒ２２）／（Ｒ２１−Ｒ２２）、
ＳＦ２２＝（Ｒ２３＋Ｒ２４）／（Ｒ２３−Ｒ２４）、
である。
【００４２】
条件式（１２）の下限値を下回らず、条件式（１３）の上限値を上回らないようにすることで、広角側のコマ収差、変倍域全体の像面湾曲補正に有利となる。
【００４３】
また、本発明の好ましい態様によれば、リアレンズ群グループのうち、負屈折力を持つレンズ群が正レンズと負レンズを接合した接合レンズからなり、
下記の条件式（１４）を満足することが望ましい。
０．１＜｜ｎｄ１−ｎｄ2｜＜０．５      （１４）
ただし、
ｎｄ１は、接合レンズの正レンズのｄ線における屈折率、
ｎｄ２は、接合レンズの負レンズのｄ線における屈折率、
である。
【００４４】
第４レンズ群を接合レンズとし、２枚のレンズの屈折率差を条件式（１４）のように取ることにより、像面湾曲の補正に有利となる。
条件式（１４）の下限値を下回らないことで、各レンズの屈折率差を確保でき、像面湾曲を補正することに有利となる。
条件式（１４）の上限値を上回らないようにすることで、組み合わせる材料の加工性の低減を抑え、コストの面でも有利となる。
【００４５】
また、本発明の好ましい態様によれば、リアレンズ群グループが、物体側から像側に順に、１つまたは２つの正屈折力のレンズ群からなる正レンズ群グループと、負屈折力の負レンズ群と、正屈折力の正レンズ群からなり、
広角端から望遠端への変倍の際に各レンズ群の間の距離が変化することが望ましい。
【００４６】
１つまたは２つの正屈折力のレンズ群よりも像側の負屈折力のレンズ群により全体の光線束を広げた後に像側の正屈折力のレンズ群にて像側に光線が収斂される。
それにより、像側へのテレセントリック性を良好に保ちつつ、ズームレンズ全体の小径化につながりズームレンズの薄型化に有利となる。
【００４７】
また、本発明の好ましい態様によれば、以下の条件式（１５）を満足することが望ましい。
０．２５＜（βＲＮＴ／βＲＮＷ）／（βＲＰＦＴ／βＲＰＦＷ）＜７  （１５）
ただし、
βＲＮＴは、リアレンズ群グループ中の負レンズ群の望遠端における最も遠距離に合焦した際の横倍率、
βＲＮＷは、リアレンズ群グループ中の負レンズ群の広角端における最も遠距離に合焦した際の横倍率、
βＲＰＦＴは、リアレンズ群グループ中の正レンズ群グループの望遠端における最も遠距離に合焦した際の横倍率、
βＲＰＦＷは、リアレンズ群グループ中の正レンズ群グループの広角端における最も遠距離に合焦した際の横倍率、
である。
【００４８】
リアレンズ群グループ中の正レンズ群グループと負レンズ群のそれぞれの好ましい変倍負担割合を特定するものである。
条件式（１５）の下限値を下回らないように負レンズ群の変倍負担を確保することで変倍比の向上に有利となる。
条件式（１５）の上限値を上回らないように負レンズ群の変倍負担の過剰を抑えることで軸上色収差・倍率色収差の補正に有利となる。
【００４９】
また、本発明の好ましい態様によれば、リアレンズ群グループ中の負の屈折力のレンズ群が、１つの単レンズ又は接合レンズからなり、フォーカシングのために移動し、
リアレンズ群中の負レンズよりも像側の正レンズ群が変倍時に固定されることが望ましい。
【００５０】
フォーカシングするレンズ群の径を小さく軽くできるので駆動機構を配置しやすくメカ構成も含めた薄型化に有利となる。
有効径が大きくなりやすい最も像側の正レンズ群を固定とすることで、メカ構成も含めた構成の薄型化に有利となる。
【００５１】
また、本発明によれば、上述の光路反射型ズームレンズと、
該光路反射型ズームレンズの像側に配置され、光路反射型ズームレンズにより形成される光学像を電気信号に変換する撮像素子を有することを特徴とする撮像装置を提供できる。
【００５２】
これにより、広画角で高い変倍比を持ちながら、諸収差が良好に補正された薄型の撮像装置を実現できる。
【００５３】
また、上述の各条件式については、更に以下のようにすることが好ましい。このようにすることで、各条件式で説明した効果がより有効に得ることができる。
条件式（１）の下限値を０．１５、更には０．２、更には０．２３とすることがより好ましい。
条件式（１）の上限値を０．７、更には０．５、更には０．３２とすることがより好ましい。
条件式（２）の下限値を−０．４、更には−０．３、更には−０．１８とすることがより好ましい。
条件式（２）の上限値を−０．０７、更には−０．１、更には−０．１１、更には−０．１２とすることがより好ましい。
条件式（３）の下限値を６、更には６．５、更には７、更には７．５とすることがより好ましい。
条件式（３）の上限値を１７、更には１５、更には１３とすることがより好ましい。
条件式（４）の下限値を０．６、更には０．７、更には０．８とすることがより好ましい。
条件式（４）の上限値を２．５、更には２、更には１．５とすることがより好ましい。
条件式（５）の下限値を０．１５、更には０．２、更には０．２３とすることがより好ましい。
条件式（５）の上限値を０．３６、更には０．３４、更には０．３２とすることがより好ましい。
条件式（６）の下限値を−０．１７５、更には−０．１７、更には−０．１６とすることがより好ましい。
条件式（６）の上限値を−０．１、更には−０．１１、更には−０．１２、更には−０．１３とすることがより好ましい。
条件式（７）の下限値を７．５、更には８、更には８．５、更には９とすることがより好ましい。
条件式（７）の上限値を１７、更には１４、更には１２とすることがより好ましい。
条件式（８）の下限値を２．２、更には２．３とすることがより好ましい。
条件式（８）の上限値を３、更には２．９、更には２．８とすることがより好ましい。
条件式（９）の下限値を１．５、更には１．８、更には２．１、更には２．３とすることがより好ましい。
条件式（９）の上限値を４、更には３．５、更には３、更には２．８とすることがより好ましい。
条件式（１０）の下限値を２５、更には３０、更には３５、更には４０とすることがより好ましい。
条件式（１０）の上限値を６６、更には６２、更には５８とすることがより好ましい。
条件式（１１）の下限値を２３、更には２６、更には２９、とすることがより好ましい。
条件式（１１）の上限値を６５、更には６０、更には５５、更には５０とすることがより好ましい。
条件式（１２）の下限値を１．１、更には１．１５とすることがより好ましい。
条件式（１２）の上限値１０を設け、これを上回らないようにすることで、第１のメニスカス負レンズの負屈折力を確保しやすくなる。その結果、第２レンズ群の屈折力の確保につながる。
条件式（１２）の上限値を５．０、更には３．６、更には１．６とすることが好ましい。
条件式（１３）に下限値−１０を設け、これを下回らないようにすることで、第２のメニスカス負レンズの負屈折力を確保しやすくなる。その結果、第２レンズ群の屈折力の確保につながる。
条件式（１３）の下限値を−５．０更には−３．６とすることがより好ましい。
条件式（１３）の上限値を−１．１、更には−１．１５、更には−１．２５とすることがより好ましい。
条件式（１４）の下限値を０．１５、更には０．２、更には０．２５とすることがより好ましい。
条件式（１４）の上限値を０．４５、更には０．４、更には０．３５、更には０．３２とすることがより好ましい。
条件式（１５）の下限値を０．５、更には１、更には１．５、更には２とすることがより好ましい。
条件式（１５）の上限値を６、更には５、更には４、更には３．５とすることがより好ましい。
条件式（１６）の下限値を１．０５、更には１．１、更には１．２とすることがより好ましい。
条件式（１６）の上限値を１．３８、更には１．３４、更には１．３とすることがより好ましい。
【００５４】
なお、上述の各発明を、任意に複数を同時に満足することがより好ましい。また、各条件式について、より限定した条件式の数値範囲の上限値あるいは下限値のみを限定しても構わない。また、上述の各構成は、任意に組み合わせて構わない。
【発明の効果】
【００５５】
本発明によれば、高い変倍比を備え、かつ小型で光学性能も良好なズームレンズ、及びこのズームレンズを備えた撮像装置を提供することができる。また、本発明によれば、高い変倍比を備え、小型で広角端での画角が広いズームレンズ、及びこのズームレンズを備えた撮像装置を提供することができる。
【図面の簡単な説明】
【００５６】
【図１】本発明の光路反射型ズームレンズの第１実施例の無限遠物点合焦時の広角端（ａ）、中間焦点距離状態（ｂ）、広角端（ｃ）でのレンズ断面図である。
【図２】本発明の光路反射型ズームレンズの第２実施例の図１と同様の図である。
【図３】本発明の光路反射型ズームレンズの第３実施例の図１と同様の図である。
【図４】本発明の光路反射型ズームレンズの第４実施例の図１と同様の図である。
【図５】本発明の光路反射型ズームレンズの第５実施例の図１と同様の図である。
【図６】本発明の光路反射型ズームレンズの第６実施例の図１と同様の図である。
【図７】本発明の光路反射型ズームレンズの第７実施例の図１と同様の図である。
【図８】本発明の光路反射型ズームレンズの第８実施例の図１と同様の図である。
【図９】本発明の光路反射型ズームレンズの第９実施例の図１と同様の図である。
【図１０】本発明の光路反射型ズームレンズの第１０実施例の図１と同様の図である。
【図１１】本発明の光路反射型ズームレンズの第１１実施例の図１と同様の図である。
【図１２】実施例１の無限遠物点合焦時の収差図である。
【図１３】実施例２の無限遠物点合焦時の収差図である。
【図１４】実施例３の無限遠物点合焦時の収差図である。
【図１５】実施例４の無限遠物点合焦時の収差図である。
【図１６】実施例５の無限遠物点合焦時の収差図である。
【図１７】実施例６の無限遠物点合焦時の収差図である。
【図１８】実施例７の無限遠物点合焦時の収差図である。
【図１９】実施例８の無限遠物点合焦時の収差図である。
【図２０】実施例９の無限遠物点合焦時の収差図である。
【図２１】実施例１０の無限遠物点合焦時の収差図である。
【図２２】実施例１１の無限遠物点合焦時の収差図である。
【図２３】歪曲収差の補正を説明する図である。
【図２４】本発明による光路折り曲げズームレンズを組み込んだデジタルカメラの外観を示す前方斜視図である。
【図２５】上記デジタルカメラの後方図である。
【図２６】上記デジタルカメラの断面図である。
【図２７】デジタルカメラの主要部の内部回路の構成ブロック図である。
【発明を実施するための形態】
【００５７】
以下に、本発明にかかる光路反射型ズームレンズ及び撮像装置の実施例を、図面に基づいて詳細に説明する。なお、この実施例によりこの発明が限定されるものではない。
【００５８】
以下、本発明の光路反射型ズームレンズ(以下、適宜「ズームレンズ」という）の実施例１〜１１について説明する。実施例１〜１１の無限遠物点合焦時の広角端（ａ）、中間焦点距離状態（ｂ）、広角端（ｃ）でのレンズ断面図を図１〜１１に示す。図１〜１１中、第１レンズ群はＧ１、第２レンズ群はＧ２、第３レンズ群はＧ３、第４レンズ群はＧ４、第５レンズ群はＧ５、第６レンズ群はＧ６、赤外光カットフィルターはＦ、カバーガラスはＣ、像面はＩで示してある。
【００５９】
ここで、赤外光カットフィルターＦは、ローパスフィルタ上に赤外光をカットするコート（多層膜）を施したものであっても良い。また、カバーガラスＣは電子撮像素子の平行平板である。なお、カバーガラスＣの表面に赤外光をカットするコートを施しても良い。また、そのカバーガラスＣにローパスフィルタ作用を持たせるようにしても良い。
【００６０】
また、数値データは、いずれも無限遠の物体（被写体）に合焦した状態でのデータである。各数値の長さの単位はｍｍ、角度は°（度）である。さらに、ズームデータは広角端（ＷＥ）、中間焦点距離状態（ＳＴ）、望遠端（ＴＥ）での値である。
また、フォーカシングは、像面側から２番目のレンズ群の移動により行う。
【００６１】
また、図１〜図１１では、プリズム（反射部材）中の反射面の図示を省略して、展開した図としてプリズムを２つの平面で図示しているが、実際は図２６に示すように、プリズムは直角プリズムである。
【００６２】
実施例１のズームレンズは、図１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００６３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００６４】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、物体側に凸面を向けた負メニスカスレンズと両凸正レンズの接合レンズとからなる。第４レンズ群Ｇ４は、両凹負レンズからなる。第５レンズ群Ｇ５は、両凸正レンズからなる。
【００６５】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の両凸正レンズの両面と接合レンズを構成する両凸正レンズの像側面と、第５レンズ群Ｇ５の両凸正レンズの両面との９面に用いている。
【００６６】
図１において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００６７】
実施例２のズームレンズは、図２に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００６８】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００６９】
物体側から順に、第１レンズ群Ｇ１は、両凹負レンズと、光路折り曲げプリズムと、両凸正レンズと、物体側に凸面を向けた正メニスカスレンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、物体側に凸面を向けた負メニスカスレンズと両凹負レンズの接合レンズとからなる。第４レンズ群Ｇ４は、像側に凸面を向けた正メニスカスレンズと両凹負レンズの接合レンズからなる。第５レンズ群Ｇ５は、両凸正レンズからなる。
【００７０】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の両凸正レンズの両面と接合レンズを構成する両凸正レンズの像側面と、第５レンズ群Ｇ５の両凸正レンズの物体側面との８面に用いている。
【００７１】
図２において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００７２】
実施例３のズームレンズは、図３に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００７３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００７４】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、物体側に凸面を向けた負メニスカスレンズと両凸正レンズの接合レンズとからなる。第４レンズ群Ｇ４は、両凹負レンズからなる。第５レンズ群Ｇ５は、両凸正レンズからなる。
【００７５】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の両凸正レンズの両面と接合レンズを構成する両凸正レンズの像側面と、第５レンズ群Ｇ５の両凸正レンズの両面との９面に用いている。
【００７６】
図３において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００７７】
実施例４のズームレンズは、図４に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００７８】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００７９】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、物体側に凸面を向けた負メニスカスレンズと両凸正レンズの接合レンズとからなる。第４レンズ群Ｇ４は、両凹負レンズからなる。第５レンズ群Ｇ５は、両凸正レンズからなる。
【００８０】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の両凸正レンズの両面と接合レンズを構成する両凸正レンズの像側面と、第５レンズ群Ｇ５の両凸正レンズの両面との９面に用いている。
【００８１】
図４において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００８２】
実施例５のズームレンズは、図５に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００８３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００８４】
物体側から順に、第１レンズ群Ｇ１は、両凹負レンズと、光路折り曲げプリズムと、両凸正レンズと、物体側に凸面を向けた正メニスカスレンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、物体側に凸面を向けた負メニスカスレンズと両凸正レンズの接合レンズとからなる。第４レンズ群Ｇ４は、両凹負レンズからなる。第５レンズ群Ｇ５は、両凸正レンズからなる。
【００８５】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の両凸正レンズの両面と接合レンズを構成する両凸正レンズの像側面と、第５レンズ群Ｇ５の両凸正レンズの両面との９面に用いている。
【００８６】
図５において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００８７】
実施例６のズームレンズは、図６に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００８８】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００８９】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、両凸正レンズと、両凸正レンズと、両凹負レンズと両凸正レンズの接合レンズとからなる。第４レンズ群Ｇ４は、両凹負レンズからなる。第５レンズ群Ｇ５は、両凸正レンズからなる。
【００９０】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の物体側の両凸正レンズの両面と接合レンズを構成する両凸正レンズの像側面と、第５レンズ群Ｇ５の両凸正レンズの両面との９面に用いている。
【００９１】
図６において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００９２】
実施例７のズームレンズは、図７に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００９３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００９４】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、物体側に凸面を向けた正メニスカスレンズと、両凸正レンズと両凹負レンズの接合レンズと、物体側に凸面を向けた負メニスカスレンズと両凸正レンズの接合レンズとからなる。第４レンズ群Ｇ４は、両凹負レンズからなる。第５レンズ群Ｇ５は、両凸正レンズからなる。
【００９５】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の物体側に凸面を向けた正メニスカスレンズの両面と像側の接合レンズを構成する両凸正レンズの像側面と、第５レンズ群Ｇ５の両凸正レンズの両面との９面に用いている。
【００９６】
図７において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【００９７】
実施例８のズームレンズは、図８に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【００９８】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【００９９】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、物体側に凸面を向けた正メニスカスレンズと、両凸正レンズと両凹負レンズの接合レンズと、物体側に凸面を向けた負メニスカスレンズと両凸正レンズの接合レンズとからなる。第４レンズ群Ｇ４は、像側に凸面を向けた正メニスカスレンズと両凹負レンズからなる。第５レンズ群Ｇ５は、両凸正レンズからなる。
【０１００】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の物体側に凸面を向けた正メニスカスレンズの両面と像側の接合レンズを構成する両凸正レンズの像側面と、第５レンズ群Ｇ５の両凸正レンズの両面との９面に用いている。
【０１０１】
図８において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【０１０２】
実施例９のズームレンズは、図９に示すように、物体側から順に、正の屈折力の第１レンズ群Ｇ１と、負の屈折力の第２レンズ群Ｇ２と、明るさ絞りＳと、正の屈折力の第３レンズ群Ｇ３と、負の屈折力の第４レンズ群Ｇ４と、正の屈折力の第５レンズ群Ｇ５とを有している。
【０１０３】
広角端から望遠端にかけての変倍時、第１レンズ群Ｇ１は固定であり、第２レンズ群Ｇ２は像側に移動し、第３レンズ群Ｇ３は物体側に移動し、第４レンズ群Ｇ４は物体側に移動し、第５レンズ群Ｇ５は固定である。また、明るさ絞りＳは固定であり、開口サイズを変化させて光量を調整する。
【０１０４】
物体側から順に、第１レンズ群Ｇ１は、両凹負レンズと、光路折り曲げプリズムと、両凸正レンズと、両凸正レンズとからなる。第２レンズ群Ｇ２は、物体側に凸面を向けた負メニスカスレンズと、像側に凸面を向けた負メニスカスレンズと、両凸正レンズとからなる。第３レンズ群Ｇ３は、物体側に凸面を向けた正メニスカスレンズと、両凸正レンズと両凹負レンズの接合レンズと、物体側に凸面を向けた負メニスカスレンズと両凸正レンズの接合レンズとからなる。第４レンズ群Ｇ４は、像側に凸面を向けた正メニスカスレンズと両凹負レンズからなる。第５レンズ群Ｇ５は、両凸正レンズからなる。
【０１０５】
非球面は、第１レンズ群Ｇ１の物体側の両凸正レンズの両面と、第２レンズ群Ｇ２の物体側に凸面を向けた負メニスカスレンズの両面と、第３レンズ群Ｇ３の物体側に凸面を向けた正メニスカスレンズの両面と像側の接合レンズを構成する両凸正レンズの像側面と、第５レンズ群Ｇ５の両凸正レンズの両面との９面に用いている。
【０１０６】
図９において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５である。また、物体側サブレンズ群グループは第３レンズ群Ｇ３と第４レンズ群Ｇ４で、像側レンズ群は第５レンズ群Ｇ５である。また、物体側サブレンズ群グループにおいて、変倍時に移動するレンズ群は第３レンズ群Ｇ３と第４レンズ群Ｇ４である。
【０１０７】
実施例１０のズームレンズは、図１０に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。
【０１０８】
広角端から望遠端にかけての変倍時、第１レンズ群Ｇ１は固定であり、第２レンズ群Ｇ２は像側に移動し、第３レンズ群Ｇ３は固定であり、第４レンズ群Ｇ４は物体側に移動し、第５レンズ群Ｇ５は物体側に移動し、第６レンズ群Ｇ６は固定である。また、明るさ絞りＳは固定であり、開口サイズを変化させて光量を調整する。
【０１０９】
物体側から順に、第１レンズ群Ｇ１は、物体側に凸面を向けた負メニスカスレンズと、光路折り曲げプリズムと、両凸正レンズと、両凸正レンズとからなる。第２レンズ群Ｇ２は、両凹負レンズと、両凹負レンズと両凸正レンズの接合レンズとからなる。第３レンズ群Ｇ３は、物体側に凸面を向けた正メニスカスレンズからなる。第４レンズ群Ｇ４は、両凸正レンズと両凹負レンズの接合レンズと、両凸正レンズとからなる。第５レンズ群Ｇ５は、物体側に凸面を向けた負メニスカスレンズからなる。第６レンズ群Ｇ６は、両凸正レンズからなる。
【０１１０】
非球面は、第１レンズ群Ｇ１の物体側に凸面を向けた負メニスカスレンズの像側面と、物体側の両凸正レンズの両面と、第２レンズ群Ｇ２の物体側の両凹負レンズの両面と、第３レンズ群Ｇ３の物体側に凸面を向けた正メニスカスレンズの物体側面と、第４レンズ群Ｇ４の像側の両凸正レンズの両面との８面に用いている。
【０１１１】
図１０において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５、第６レンズ群Ｇ６である。また、物体側サブレンズ群グループは第３レンズ群Ｇ３、第４レンズ群Ｇ４及び第５レンズ群Ｇ５で、像側レンズ群は第６レンズ群Ｇ６である。また、物体側サブレンズ群グループにおいて、変倍時に移動するレンズ群は第４レンズ群Ｇ４と第５レンズ群Ｇ５である。
【０１１２】
実施例１１のズームレンズは、図１１に示すように、物体側から順に、正の屈折力の第１レンズ群Ｇ１と、負の屈折力の第２レンズ群Ｇ２と、明るさ絞りＳと、正の屈折力の第３レンズ群Ｇ３と、正の屈折力の第４レンズ群Ｇ４と、負の屈折力の第５レンズ群Ｇ５と、正の屈折力の第６レンズ群Ｇ６を有している。
【０１１３】
広角端から望遠端にかけての変倍時、第１レンズ群Ｇ１は固定であり、第２レンズ群Ｇ２は像側に移動し、第３レンズ群Ｇ３は固定であり、第４レンズ群Ｇ４は物体側に移動し、第５レンズ群Ｇ５は物体側に移動し、第６レンズ群Ｇ６は固定である。また、明るさ絞りＳは固定であり、開口サイズを変化させて光量を調整する。
【０１１４】
物体側から順に、第１レンズ群Ｇ１は、物体側に凸面を向けた負メニスカスレンズと、光路折り曲げプリズムと、両凸正レンズと、両凸正レンズとからなる。第２レンズ群Ｇ２は、両凹負レンズと、両凹負レンズと両凸正レンズの接合レンズとからなる。第３レンズ群Ｇ３は、物体側に凸面を向けた正メニスカスレンズからなる。第４レンズ群Ｇ４は、両凸正レンズと両凹負レンズの接合レンズと、両凸正レンズとからなる。第５レンズ群Ｇ５は、物体側に凸面を向けた負メニスカスレンズからなる。第６レンズ群Ｇ６は、両凸正レンズからなる。
【０１１５】
非球面は、第１レンズ群Ｇ１の物体側に凸面を向けた負メニスカスレンズの像側面と、物体側の両凸正レンズの両面と、第２レンズ群Ｇ２の物体側の両凹負レンズの両面と、第３レンズ群Ｇ３の物体側に凸面を向けた正メニスカスレンズの物体側面と、第４レンズ群Ｇ４の像側の両凸正レンズの両面との８面に用いている。
【０１１６】
図１１において、プリズムの物体側面と像側面はいずれも平面で、両者の間に反射面（不図示）がある。リアレンズ群グループは第３レンズ群Ｇ３、第４レンズ群Ｇ４、第５レンズ群Ｇ５、第６レンズ群Ｇ６である。また、物体側サブレンズ群グループは第３レンズ群Ｇ３、第４レンズ群Ｇ４及び第５レンズ群Ｇ５で、像側レンズ群は第６レンズ群Ｇ６である。また、物体側サブレンズ群グループにおいて、変倍時に移動するレンズ群は第４レンズ群Ｇ４と第５レンズ群Ｇ５である。
【０１１７】
以下に、上記各実施例の数値データを示す。記号は上記の外、ｆは全系焦点距離、ＢＦはバックフォーカス、ｆ１、ｆ２…は各レンズ群の焦点距離、ＩＨは像高、ＦＮＯはＦナンバー、ωは半画角、ＷＥは広角端、ＳＴは中間焦点距離状態、ＴＥは望遠端、ｒは各レンズ面の曲率半径、ｄは各レンズ面間の間隔、ｎｄは各レンズのｄ線の屈折率、νｄは各レンズのアッベ数である。後述するレンズ全長は、レンズ最前面からレンズ最終面までの距離にバックフォーカスを加えたものである。ＢＦ（バックフォーカス）は、レンズ最終面から近軸像面までの距離を空気換算して表したものである。
【０１１８】
なお、非球面形状は、ｘを光の進行方向を正とした光軸とし、ｙを光軸と直交する方向にとると、下記の式にて表される。
【０１１９】
ｘ＝（ｙ２／ｒ）／［１＋｛１−（Ｋ＋１）（ｙ／ｒ）２｝１／２］
＋Ａ４ｙ４＋Ａ６ｙ６＋Ａ８ｙ８＋Ａ１０ｙ１０＋Ａ１２ｙ１２
ただし、ｒは近軸曲率半径、Ｋは円錐係数、Ａ４、Ａ６、Ａ８、Ａ１０、Ａ１２はそれぞれ４次、６次、８次、１０次、１２次の非球面係数である。また、非球面係数において、「ｅ−ｎ」（ｎは整数）は、「１０−ｎ」を示している。
【０１２０】
また、以下の数値実施例では、広角端での像高が、中間焦点距離状態や望遠端での像高に対して小さくなっている。これは、上述したように、たる型のディストーションが発生しているからである。そして、数値実施例における広角端での全画角（２ω）の値は、たる型の有効撮像領域の像高に対応する画角を表示している。
【０１２１】
また、数値実施例において、反射部材（反射プリズム）の反射面を示す数値はデータから省略しているが、第３面が反射部材の入射面、第４面が反射部材の射出面を示している。よって、反射面は第３面と第４面の間に存在する。
【０１２２】
数値実施例１
単位：ｍｍ
面データ
面番号      r          d         nd        νd 
物面       ∞         ∞
1     -38.646      0.60     1.91082    35.25
2      25.525      1.38
3        ∞       12.50     1.90366    31.32
4        ∞        0.20
5*     30.399      2.41     1.49710    81.56
6*    -19.351      0.20
7      13.699      2.37     1.49700    81.61
8    -101.298      可変
9*     23.420      0.40     1.85135    40.10
10*      3.900      2.61
11      -6.136      0.40     1.77250    49.60
12     -10.960      0.20
13      21.168      1.29     1.92286    20.88
14     -33.044      可変
15(絞り)  ∞        可変
16*      6.156      2.28     1.58313    59.38
17*   -160.000      2.20
18      26.793      0.40     1.91082    35.25
19       4.533      2.50     1.49710    81.56
20*    -14.522      可変
21      -9.613      0.40     1.88300    40.76
22     154.684      可変
23*     20.000      2.03     1.53071    55.69
24*    -10.075      0.60
25        ∞        0.30     1.51633    64.14
26        ∞        0.40
27        ∞        0.50     1.51633    64.14
28        ∞        0.37
像面(撮像面) ∞        
非球面データ
第５面
k=0.000
A4=-8.77447e-05,A6=1.19932e-07,A8=-4.22253e-09  
第６面
k=0.000
A4=-2.44399e-05,A6=1.40843e-08,A8=-4.66640e-09  
第９面
k=0.000
A4=-5.29160e-04,A6=6.90232e-06,A8=7.89760e-08  
第１０面
k=0.000
A4=-1.63560e-03,A6=-8.13594e-05,A8=1.38576e-06,A10=-4.45546e-07  
第１６面
k=0.000
A4=-3.32461e-04,A6=-1.03060e-05,A8=-1.51250e-07  
第１７面
k=0.000
A4=5.59151e-05,A6=-1.14432e-05,A8=2.35680e-07  
第２０面
k=0.000
A4=2.86930e-04,A6=8.49386e-06,A8=-1.19082e-07  
第２３面
k=0.000
A4=-1.51026e-05,A6=1.42653e-05,A8=-5.78961e-07,A10=-1.52863e-08  
第２４面
k=0.000
A4=1.18036e-03,A6=-4.25065e-05,A8=1.45214e-06,A10=-4.58349e-08  
ズームデータ
広角      中間      望遠
焦点距離           4.94     14.32     47.75
Ｆno.              3.99      6.39      6.80
画角２ω          81.76     30.72      9.48
fb (in air)        1.86      1.86      1.86
全長 (in air)     67.00     67.00     67.00
d8                 0.50      5.92     12.90  
d14               13.17      7.75      0.78  
d15                6.30      1.20      0.92  
d20                9.68     12.49      5.33  
d22                1.11      3.41     10.83  
群焦点距離
f1=14.71    f2=-7.26    f3=12.38    f4=-10.24    f5=12.93   
【０１２３】
数値実施例２
単位  ｍｍ
面データ
面番号      r          d         nd        νd 
物面       ∞         ∞
1     -38.491      0.50     1.91082    35.25
2      24.582      1.47
3        ∞       13.00     2.00100    29.14
4        ∞        0.20
5*     26.807      2.62     1.49710    81.56
6*    -18.492      0.20
7      15.124      1.87     1.55332    71.68
8     202.717      可変
9*     22.779      0.35     1.80566    36.85
10*      4.742      3.76
11      -7.842      0.77     1.55023    73.61
12     -70.000      0.20
13      25.371      1.04     1.92286    20.88
14     -34.812      可変
15(絞り)  ∞        可変
16*      6.630      2.20     1.58313    59.38
17*   -136.608      2.55
18      25.759      0.40     1.91082    35.25
19       4.493      3.30     1.49710    81.56
20*    -11.799      可変
21     -15.313      1.05     1.58784    39.29
22      -7.675      0.40     1.88300    40.76
23      37.579      可変
24*     14.191      2.00     1.52542    55.78
25     -19.310      0.70
26        ∞        0.30     1.51633    64.14
27        ∞        0.40
28        ∞        0.50     1.51633    64.14
29        ∞        0.37
像面(撮像面) ∞        
非球面データ
第５面
k=0.000
A4=-2.71360e-05,A6=-1.35516e-06,A8=2.99419e-08,A10=-1.39186e-10,
A12=-4.46089e-12  
第６面
k=0.000
A4=1.89772e-05,A6=-1.10300e-06,A8=1.57845e-08,A10=1.79050e-10,
A12=-7.15821e-12  
第９面
k=0.000
A4=1.47502e-05,A6=-8.08548e-06  
第１０面
k=0.000
A4=-4.48141e-04,A6=-2.24110e-05,A8=-5.55792e-07,A10=-9.67179e-08  
第１６面
k=0.000
A4=-2.76758e-04,A6=-2.17307e-07,A8=-1.19918e-06,A10=1.15396e-07,
A12=-5.46985e-09  
第１７面
k=0.000
A4=1.00226e-04,A6=-2.86487e-06,A8=-5.67227e-07,A10=9.66144e-08,
A12=-6.30352e-09  
第２０面
k=0.000
A4=-8.30132e-06,A6=4.62547e-06,A8=-2.21987e-06,A10=1.02141e-07  
第２４面
k=0.000
A4=-4.17529e-04,A6=1.93617e-05,A8=-5.57160e-07  
ズームデータ
広角      中間      望遠
焦点距離           5.04     14.72     48.69
ＦＮＯ．           4.00      6.49      6.99
画角２ω          80.55     29.86      9.22
fb (in air)        2.00      2.00      2.00
全長 (in air)     69.93     69.93     69.93
d8                 0.30      6.33     13.97  
d14               13.97      7.94      0.30  
d15                6.60      1.58      0.40  
d20                8.45      9.57      3.88  
d23                0.73      4.62     11.49  
群焦点距離
f1=16.14    f2=-8.41    f3=12.79    f4=-9.78    f5=15.89   
【０１２４】
数値実施例３
単位  ｍｍ
面データ
面番号      r          d         nd        νd 
物面       ∞         ∞
1     -36.182      0.60     1.91082    35.25
2      26.698      1.30
3        ∞       12.50     1.90366    31.32
4        ∞        0.20
5*     27.415      2.51     1.49710    81.56
6*    -20.194      0.20
7      14.115      2.30     1.49700    81.61
8     -75.293      可変
9*     19.065      0.40     1.85135    40.10
10*      4.007      3.03
11      -5.658      0.40     1.77250    49.60
12     -10.960      0.20
13      34.741      1.29     1.92286    20.88
14     -21.223      可変
15(絞り)  ∞        可変
16*      6.618      2.25     1.58313    59.38
17*   -400.190      2.85
18      35.885      0.40     1.91082    35.25
19       4.908      2.50     1.49710    81.56
20*     -9.691      可変
21     -10.122      0.40     1.88300    40.76
22      58.737      可変
23*     18.828      2.25     1.53071    55.69
24*    -10.493      0.60
25        ∞        0.30     1.51633    64.14
26        ∞        0.40
27        ∞        0.50     1.51633    64.14
28        ∞        0.37
像面(撮像面) ∞        
非球面データ
第５面
k=0.000
A4=-7.68593e-05,A6=-2.08825e-07,A8=-2.60631e-09  
第６面
k=0.000
A4=-7.72156e-06,A6=-2.45929e-07,A8=-3.49853e-09  
第９面
k=0.000
A4=-3.40844e-04,A6=8.15533e-06,A8=1.31968e-09  
第１０面
k=0.000
A4=-1.37937e-03,A6=-5.08949e-05,A8=2.12493e-07,A10=-2.74517e-07  
第１６面
k=0.000
A4=-2.70089e-04,A6=-6.54167e-06,A8=-4.34110e-08  
第１７面
k=0.000
A4=1.45744e-04,A6=-8.09878e-06,A8=1.63509e-07  
第２０面
k=0.000
A4=1.43426e-04,A6=3.01580e-06,A8=-3.98364e-07  
第２３面
k=0.000
A4=-4.60178e-04,A6= 2.72937e-05,A8=-1.21822e-06,A10=-5.38348e-10  
第２４面
k=0.000
A4=2.73798e-04,A6=-6.72354e-09,A8=-5.96964e-07,A10=-2.03935e-10  
ズームデータ
広角      中間      望遠
焦点距離           5.01     14.01     48.18
Ｆno.              3.99      6.06      6.81
画角２ω          79.63     31.25      9.46
fb (in air)        1.90      1.90      1.90
全長 (in air)     66.97     66.97     66.97
d8                 0.50      6.34     12.94  
d14               13.22      7.37      0.78  
d15                5.33      1.40      0.93  
d20                9.29     11.20      3.66  
d22                1.15      3.17     11.16  
群焦点距離
f1=14.43    f2=-7.24    f3=12.39    f4=-9.75    f5=13.04   
【０１２５】
数値実施例４
単位  ｍｍ
面データ
面番号      r          d         nd        νd 
物面       ∞         ∞
1     -35.640      0.60     1.91082    35.25
2      26.599      1.30
3        ∞       12.50     1.90366    31.32
4        ∞        0.20
5*     34.287      2.57     1.49710    81.56
6*    -17.495      0.20
7      13.040      2.21     1.49700    81.61
8    -358.603      可変
9*     23.806      0.45     1.80610    40.88
10*      4.014      2.69
11      -7.645      0.40     1.77250    49.60
12     -21.350      0.20
13      21.001      1.29     1.92286    20.88
14     -29.482      可変
15(絞り)  ∞        可変
16*      6.450      3.02     1.58313    59.38
17*    -39.000      1.73
18     284.896      0.50     1.91082    35.25
19       5.213      2.49     1.49710    81.56
20*     -9.795      可変
21     -11.803      0.40     1.88300    40.76
22      32.483      可変
23*     30.000      2.33     1.53071    55.69
24*     -8.370      0.60
25        ∞        0.30     1.51633    64.14
26        ∞        0.40
27        ∞        0.50     1.51633    64.14
28        ∞        0.37
像面(撮像面) ∞        
非球面データ
第５面
k=0.000
A4=-6.73485e-05,A6=-1.91241e-07,A8=6.59739e-09,A10=-4.51795e-11  
第６面
k=0.000
A4=-8.11814e-06,A6=-2.33240e-07,A8=3.97526e-09,A10=-1.65226e-11  
第９面
k=0.000
A4=-3.02998e-04,A6=-1.17258e-05,A8=3.33223e-07,A10=5.63001e-10  
第１０面
k=0.000
A4=-1.17291e-03,A6=-6.32284e-05,A8=-2.08134e-06,A10=-2.77928e-07  
第１６面
k=0.000
A4=-4.54822e-04,A6=-1.39454e-05,A8=-9.72912e-07,A10=-4.50729e-08  
第１７面
k=0.000
A4=-1.77671e-04,A6=-1.78840e-05,A8=-2.45050e-06,A10=5.39837e-08  
第２０面
k=0.000
A4=5.29117e-04,A6=8.02554e-06,A8=4.10645e-06,A10=-1.95603e-07  
第２３面
k=0.000
A4=-6.62860e-04,A6=1.10689e-04,A8=-8.48041e-06,A10=1.69964e-07  
第２４面
k=0.000
A4=-1.16707e-05,A6=1.86095e-04,A8=-1.39048e-05,A10=2.82049e-07  
ズームデータ
広角      中間      望遠
焦点距離           4.99     14.54     48.08
Ｆno.              3.94      6.11      6.81
画角２ω          79.83     29.84      9.31
fb (in air)        1.90      1.90      1.90
全長 (in air)     67.00     67.00     67.00
d8                 0.50      6.70     13.38  
d14               13.65      7.45      0.78  
d15                5.55      1.50      0.93  
d20                9.12     11.03      3.86  
d22                1.18      3.32     11.05  
群焦点距離
f1=14.87    f2=-7.42    f3=12.14    f4=-9.76    f5=12.60   
【０１２６】
数値実施例５
単位  ｍｍ
面データ
面番号      r          d         nd        νd 
物面       ∞         ∞
1     -34.017      0.60     1.91082    35.25
2      26.036      1.30
3        ∞       12.50     1.90366    31.32
4        ∞        0.20
5*     34.353      2.71     1.49710    81.56
6*    -16.380      0.20
7      13.188      2.19     1.49700    81.61
8    4859.001      可変  
9      23.759      0.45     1.88300    40.76
10       4.417      2.23
11*    -13.541      0.54     1.74320    49.29
12*   -119.194      0.31
13      15.321      1.29     1.94595    17.98
14   -2927.944      可変
15(絞り)  ∞        可変
16*      6.924      3.02     1.58313    59.38
17*   -181.891      1.68
18      57.499      0.81     1.91082    35.25
19       5.604      2.49     1.49710    81.56
20*     -8.552      可変
21      -9.659      0.40     1.88300    40.76
22     207.971      可変
23*     30.000      1.96     1.53071    55.69
24*    -12.866      0.60
25        ∞        0.30     1.51633    64.14
26        ∞        0.40
27        ∞        0.50     1.51633    64.14
28        ∞        0.37
像面(撮像面) ∞        
非球面データ
第５面
k=0.000
A4=-5.21636e-05,A6=4.12593e-07,A8=-2.50862e-09,A10=-1.75695e-11  
第６面
k=0.000
A4=4.07273e-06,A6=2.68010e-07,A8=-2.66164e-10,A10=-2.45670e-11  
第１１面
k=0.000
A4=1.06235e-03,A6=-1.54699e-04,A8=2.15426e-06  
第１２面
k=0.000
A4=5.36376e-04,A6=-1.51632e-04,A8=2.92988e-06  
第１６面
k=0.000
A4=-1.44787e-04,A6=1.02960e-06,A8=-2.96739e-07,A10= 4.74654e-09  
第１７面
k=0.000
A4=3.97649e-04,A6=4.43858e-06,A8=-3.76271e-07  
第２０面
k=0.000
A4=4.89562e-05,A6=-2.75931e-06,A8=-8.79122e-08,A10=2.63682e-09  
第２３面
k=0.000
A4=2.89414e-05,A6=3.60745e-05,A8=-2.55996e-06,A10=6.59659e-10  
第２４面
k=0.000
A4=4.73922e-04,A6=1.68428e-04,A8=-1.28948e-05,A10=2.17813e-07  
ズームデータ
広角      中間      望遠
焦点距離           4.99     14.45     47.88
Ｆno.              3.91      6.09      6.90
画角２ω          79.59     30.04      9.30
fb (in air)        1.92      1.92      1.92
全長 (in air)     67.10     67.10     67.10
d8                 0.50      6.93     13.61  
d14               13.85      7.45      0.78  
d15                5.21      1.51      0.93  
d20                9.48     11.00      3.66  
d22                1.26      3.44     11.35  
群焦点距離
f1=14.88    f2=-7.49    f3=12.07    f4=-10.44    f5=17.24   
【０１２７】
数値実施例６
単位  ｍｍ
面データ
面番号      r          d         nd        νd 
物面       ∞         ∞
1     -35.617      0.60     1.91082    35.25
2      26.397      1.30
3        ∞       12.50     1.90366    31.32
4        ∞        0.20
5*     40.941      2.54     1.49710    81.56
6*    -16.570      0.20
7      12.788      2.21     1.49700    81.61
8   -1110.979      可変
9*     23.733      0.45     1.80610    40.88
10*      3.999      2.45
11      -7.884      0.40     1.77250    49.60
12     -20.492      0.20
13      18.263      1.29     1.92286    20.88
14     -39.100      可変 
15(絞り)  ∞        可変
16*      6.798      2.81     1.58313    59.38
17*  -8284.202      0.30
18      22.145      1.37     1.50212    53.46
19   -2002.086      0.97
20   -1699.213      0.40     1.91082    35.25
21       5.264      2.49     1.49710    81.56
22*     -9.833      可変
23     -10.248      0.40     1.88300    40.76
24      57.410      可変
25*     30.000      2.25     1.53071    55.69
26*     -8.954      0.60
27        ∞        0.30     1.51633    64.14
28        ∞        0.40
29        ∞        0.50     1.51633    64.14
30        ∞        0.37
像面(撮像面) ∞        
非球面データ
第５面
k=0.000
A4=-6.25108e-05,A6=-1.72547e-08,A8=-2.08623e-09  
第６面
k=0.000
A4=-5.55562e-06,A6=-8.80122e-08,A8=-2.30137e-09  
第９面
k=0.000
A4=-5.72637e-04,A6= 5.54240e-06,A8=-1.99201e-07  
第１０面
k=0.000
A4=-1.53138e-03,A6=-6.16398e-05,A8=-7.50957e-08,A10=-4.57370e-07  
第１６面
k=0.000
A4=-3.90171e-04,A6=-1.32077e-05,A8=-7.49447e-07,A10=-2.55835e-08  
第１７面
k=0.000
A4=-1.59970e-04,A6=-1.50117e-05,A8=-1.89000e-06,A10=3.77025e-08  
第２２面
k=0.000
A4=5.09649e-04,A6=1.71231e-06,A8=3.66261e-06,A10=-1.63600e-07  
第２５面
k=0.000
A4=-5.51937e-04,A6=7.16367e-07,A8=2.56257e-06,A10=-1.20484e-07  
第２６面
k=0.000
A4=6.27287e-04,A6=-5.56227e-05,A8=4.99951e-06,A10=-1.54861e-07  
ズームデータ
広角      中間      望遠
焦点距離           4.98     14.53     48.07
Ｆno.              3.89      5.94      6.87
画角２ω          80.05     29.84      9.35
fb (in air)        1.89      1.89      1.89
全長 (in air)     67.26     67.26     67.26
d8                 0.50      6.98     13.59  
d14               13.87      7.39      0.78  
d15                5.70      1.87      0.93  
d22                8.80     10.57      3.67  
d24                1.15      3.22     11.05  
群焦点距離
f1=15.08    f2=-7.55    f3=12.11    f4=-9.82    f5=13.26   
【０１２８】
数値実施例７
単位  ｍｍ
面データ
面番号      r          d         nd        νd 
物面       ∞         ∞
1     -42.881      0.60     1.91082    35.25
2      24.081      1.37
3        ∞       12.50     1.90366    31.32
4        ∞        0.20
5*     34.329      2.53     1.49710    81.56
6*    -17.897      0.20
7      13.249      2.21     1.49700    81.61
8    -286.719      可変
9*     57.052      0.45     1.80610    40.88
10*      4.180      2.56
11      -8.766      0.40     1.77250    49.60
12     -21.921      0.20
13      19.245      1.29     1.92286    20.88
14     -35.971      可変
15(絞り)  ∞        可変
16*      6.830      2.05     1.58313    59.38
17*     30.554      0.20
18       8.801      2.48     1.51633    64.14
19      -6.508      0.40     1.77250    49.60
20      41.847      0.75
21      16.971      0.40     1.91082    35.25
22       5.069      2.49     1.49710    81.56
23*    -13.422      可変
24     -11.405      0.40     1.88300    40.76
25      38.665      可変
26*     30.000      2.08     1.53071    55.69
27*    -10.549      0.60
28        ∞        0.30     1.51633    64.14
29        ∞        0.40
30        ∞        0.50     1.51633    64.14
31        ∞        0.37
像面(撮像面) ∞        
非球面データ
第５面
k=0.000
A4=-5.04310e-05,A6=-2.44765e-07,A8=2.47491e-10  
第６面
k=0.000
A4=1.98396e-06,A6=-2.57276e-07,A8=-6.27553e-10  
第９面
k=0.000
A4=-3.72445e-04,A6=-9.80828e-06,A8=5.60749e-07  
第１０面
k=0.000
A4=-1.35287e-03,A6=-4.86456e-05,A8=-3.70033e-06  
第１６面
k=0.000
A4=-4.58767e-05,A6=1.66566e-06,A8=-1.18212e-07  
第１７面
k=0.000
A4=-9.44377e-05,A6=-3.59387e-06,A8=-4.66235e-07  
第２３面
k=0.000
A4=8.21514e-04,A6=8.38794e-06,A8=2.19610e-06  
第２８面
k=0.000
A4=-8.94023e-04,A6=9.64440e-05,A8=-3.77249e-06  
第２７面
k=0.000
A4=-1.72418e-05,A6=7.65004e-05,A8=-3.48336e-06  
ズームデータ
広角      中間      望遠
焦点距離           5.00     14.49     48.10
Ｆno.              3.94      5.78      6.86
画角２ω          79.86     30.05      9.35
fb (in air)        1.89      1.89      1.89
全長 (in air)     67.37     67.37     67.37
d8                 0.50      7.05     13.51  
d14               13.78      7.23      0.78  
d15                5.94      2.21      0.93  
d23                8.09      9.94      3.57  
d25                1.40      3.29     10.94  
群焦点距離
f1=15.12    f2=-7.48    f3=12.01    f4=-9.94    f5=14.97   
【０１２９】
数値実施例８
単位  ｍｍ
面データ
面番号      r          d         nd        νd 
物面       ∞         ∞
1     -42.747      0.60     1.91082    35.25
2      23.943      1.39
3        ∞       12.50     1.90366    31.32
4        ∞        0.20
5*     33.481      2.58     1.49710    81.56
6*    -17.368      0.20
7      12.954      2.21     1.49700    81.61
8   -1392.453      可変  
9*     53.771      0.45     1.80610    40.88
10*      4.139      2.54
11      -8.289      0.40     1.77250    49.60
12     -21.707      0.20
13      20.111      1.29     1.92286    20.88
14     -30.027      可変
15(絞り)  ∞        可変
16*      6.788      2.05     1.58313    59.38
17*     28.602      0.20
18       9.382      2.24     1.51633    64.14
19      -8.664      0.41     1.80400    46.57
20      53.177      0.91
21      16.166      0.40     1.91082    35.25
22       5.106      2.49     1.49710    81.56
23*    -16.079      可変
24     -18.147      1.02     1.59270    35.31
25      -7.692      0.40     1.88300    40.80
26      40.447      可変
27*     25.990      2.08     1.53071    55.69
28*    -14.110      0.60
29        ∞        0.30     1.51633    64.14
30        ∞        0.40
31        ∞        0.50     1.51633    64.14
32        ∞        0.37
像面(撮像面) ∞        
非球面データ
第５面
k=0.000
A4=-4.85472e-05,A6=-2.76697e-07,A8=1.62474e-09  
第６面
k=0.000
A4=5.41766e-06,A6=-2.92562e-07,A8=6.96116e-10  
第９面
k=0.000
A4=-3.24125e-04,A6=-1.29326e-05,A8=5.07407e-07  
第１０面
k=0.000
A4=-1.31262e-03,A6=-4.50253e-05,A8=-5.07424e-06  
第１６面
k=0.000
A4=-3.12822e-07,A6=-1.44759e-05,A8=5.33715e-07  
第１７面
k=0.000
A4=6.40750e-05,A6=-2.36056e-05,A8=7.58035e-07  
第２３面
k=0.000
A4=7.90058e-04,A6=2.67963e-05,A8=1.04453e-06  
第２７面
k=0.000
A4=-1.15807e-03,A6=1.21020e-04,A8=-4.32818e-06  
第２８面
k=0.000
A4=-7.12582e-04,A6=1.27701e-04,A8=-4.79005e-06  
ズームデータ
広角      中間      望遠
焦点距離           4.98     14.51     48.00
Ｆno.              3.94      5.78      6.72
画角２ω          80.02     30.04      9.37
fb (in air)        1.90      1.90      1.90
全長 (in air)     67.67     67.67     67.67
d8                 0.50      6.96     13.36  
d14               13.63      7.17      0.78  
d15                5.96      2.21      0.93  
d23                7.54      9.28      2.55  
d26                1.40      3.40     11.42  
群焦点距離
f1=14.85    f2=-7.38    f3=11.95    f4=-10.66    f5=17.55   
【０１３０】
数値実施例９
単位  ｍｍ
面データ
面番号      r          d         nd        νd 
物面       ∞         ∞
1     -42.638      0.60     1.91082    35.25
2      23.736      1.40
3        ∞       12.50     1.90366    31.32
4        ∞        0.20
5*     38.203      2.57     1.49710    81.56
6*    -16.866      0.20
7      12.908      2.21     1.49700    81.61
8   -1558.552      可変  
9*     47.442      0.45     1.80610    40.88
10*      4.181      2.61
11      -8.399      0.40     1.77250    49.60
12     -21.851      0.20
13      20.463      1.29     1.92286    20.88
14     -30.822      可変
15(絞り)  ∞        可変
16*      6.740      2.05     1.58313    59.38
17*     30.234      0.20
18      10.498      2.24     1.53172    48.84
19      -7.277      0.40     1.76200    40.10
20      65.229      0.91
21      19.523      0.40     1.91082    35.25
22       5.069      2.49     1.49710    81.56
23*    -12.738      可変
24     -17.039      1.01     1.59551    39.24
25      -8.122      0.40     1.88300    40.76
26      40.520      可変
27*     27.007      2.08     1.53071    55.69
28*    -14.348      0.60
29        ∞        0.30     1.51633    64.14
30        ∞        0.40
31        ∞        0.50     1.51633    64.14
32        ∞        0.37
像面(撮像面) ∞        
非球面データ
第５面
k=0.000
A4=-5.10488e-05,A6=-2.00093e-07,A8=1.93559e-09  
第６面
k=0.000
A4=1.13214e-06,A6=-2.28173e-07,A8=1.02834e-09  
第９面
k=0.000
A4=-4.28804e-04,A6=-9.29076e-06,A8=5.13867e-07  
第１０面
k=0.000
A4=-1.38831e-03,A6=-4.73200e-05,A8=-4.07096e-06  
第１６面
k=0.000
A4=-5.66901e-05,A6=-4.99021e-06,A8=2.53365e-07  
第１７面
k=0.000
A4=9.78066e-07,A6=-9.59051e-06,A8=2.30600e-07  
第２３面
k=0.000
A4=6.33623e-04,A6=1.47846e-05,A8=1.10880e-06  
第２７面
k=0.000
A4=-9.17880e-04,A6=9.84765e-05,A8=-3.80817e-06  
第２８面
k=0.000
A4=-3.73708e-04,A6=9.66563e-05,A8=-4.09629e-06  
ズームデータ
広角      中間      望遠
焦点距離           5.00     14.53     48.02
Ｆno.              3.98      5.82      6.81
画角２ω          79.84     29.99      9.37
fb (in air)        1.90      1.90      1.90
全長 (in air)     68.28     68.28     68.28
d8                 0.50      7.11     13.62  
d14               13.89      7.28      0.78  
d15                5.98      2.21      0.93  
d23                7.79      9.48      2.94  
d26                1.41      3.48     11.31  
群焦点距離
f1=15.07    f2=-7.52    f3=12.11    f4=-10.67    f5=17.97   
【０１３１】
数値実施例１０
単位  ｍｍ
面データ
面番号      r          d         nd        νd 
物面       ∞         ∞
1      78.570      0.62     1.90200    25.10
2*     12.038      2.73
3        ∞       11.97     2.00069    25.46
4        ∞        0.20
5*     21.938      3.25     1.49700    81.54
6*    -13.773      0.20
7      29.700      2.07     1.69575    56.39
8     -49.852      可変  
9*    -17.356      0.40     1.76802    49.24
10*      6.262      1.30
11     -16.296      0.50     1.88300    40.76
12      14.721      1.72     1.94595    17.98
13     -30.504      可変
14(絞り)  ∞        0.60
15*      7.086      1.45     1.58313    59.38
16      12.916      可変
17       7.273      2.92     1.49700    81.54
18     -34.798      0.50     1.90366    31.32
19      11.203      0.20
20*     10.919      2.18     1.52500    55.80
21*     -9.055      可変
22      14.809      1.10     1.89991    30.66
23       5.293      可変
24      29.036      2.60     1.52542    55.78
25     -10.758      0.15
26        ∞        0.42     1.51633    64.14
27        ∞        0.50
28        ∞        0.50     1.51633    64.14
29        ∞        0.37
像面(撮像面) ∞        
非球面データ
第２面
k=-4.467
A4=3.91245e-04,A6=-2.16192e-06,A8=3.03393e-08  
第５面
k=-3.000
A4=-1.84363e-05,A6=-5.92060e-07,A8=4.11059e-09  
第６面
k=-0.046
A4=3.03309e-05,A6=-5.52836e-07,A8=1.91955e-09  
第９面
k=0.000
A4=1.42686e-04  
第１０面
k=0.000
A4=-6.35859e-04,A6=-6.24495e-06  
第１５面
k=0.000
A4=-3.09946e-04,A6=-5.03020e-06  
第２０面
k=0.000
A4=-7.60026e-04  
第２１面
k=0.000
A4=2.41202e-04  
ズームデータ
広角      中間      望遠
焦点距離           4.61     18.32     44.25
Ｆno.              3.97      5.64      7.00
画角２ω          81.32     23.56     10.34
fb (in air)        1.64      1.64      1.64
全長 (in air)     67.60     67.60     67.60
d8                 0.50      7.00     10.12  
d13               10.62      4.12      1.00  
d16                9.01      4.24      1.40  
d21                7.10      6.80      1.90  
d23                2.22      7.30     15.03  
群焦点距離
f1=11.14    f2=-5.47    f3=24.66    f4=12.90    f5=-9.68    f6=15.28   
【０１３２】
数値実施例１１
単位  ｍｍ
面データ
面番号      r          d         nd        νd 
物面       ∞         ∞
1      71.194      0.62     1.90200    25.10
2*     11.844      2.73
3        ∞       11.97     2.00069    25.46
4        ∞        0.20
5*     21.524      3.25     1.49700    81.54
6*    -13.870      0.20
7      35.864      2.07     1.69680    55.53
8     -39.094      可変  
9*    -19.044      0.40     1.76802    49.24
10*      6.099      1.30
11     -17.782      0.50     1.88300    40.76
12      14.050      1.72     1.94595    17.98
13     -35.404      可変
14(絞り)  ∞        0.60
15*      6.857      1.45     1.58313    59.38
16      12.449      可変
17       7.601      2.92     1.49700    81.54
18     -28.563      0.50     1.90366    31.32
19      12.457      0.20
20*     10.745      2.10     1.52542    55.78
21*     -9.320      可変
22      15.297      1.10     1.90366    31.32
23       5.292      可変
24      32.730      2.83     1.52542    55.78
25     -10.510      0.15
26        ∞        0.42     1.51633    64.14
27        ∞        0.50
28        ∞        0.50     1.51633    64.14
29        ∞        0.37
像面(撮像面) ∞        
非球面データ
第２面
k=-4.467
A4=4.19128e-04,A6=-2.47164e-06,A8=3.81504e-08  
第５面
k=-3.000
A4=-1.91140e-05,A6=-7.15817e-07,A8=5.76963e-09  
第６面
k=-0.080
A4=3.31594e-05,A6=-6.59299e-07,A8=2.84116e-09  
第９面
k=0.000
A4=1.45475e-04  
第１０面
k=0.000
A4=-6.03068e-04,A6=-8.00932e-06  
第１５面
k=0.000
A4=-3.28572e-04,A6=-5.03020e-06  
第２０面
k=0.000
A4=-6.90145e-04  
第２１面
k=0.000
A4=2.97105e-04  
ズームデータ
広角      中間      望遠
焦点距離           4.63     19.32     44.24
Ｆno.              3.97      5.55      7.00
画角２ω          81.51     22.46     10.40
fb (in air)        1.65      1.65      1.65
全長 (in air)     67.60     67.60     67.60
d8                 0.50      7.36     10.15  
d13               10.65      3.80      1.00  
d16                9.16      4.51      1.23  
d21                6.76      6.43      1.92  
d23                2.23      7.20     15.00  
群焦点距離
f1=11.17    f2=-5.47    f3=23.90    f4=12.70    f5=-9.45    f6=15.49   
【０１３３】
以上の実施例１〜１１の無限遠物点合焦時の収差図をそれぞれ図１２〜図２２に示す。これらの収差図において、（ａ）は広角端、（ｂ）は中間焦点距離状態、（ｃ）は望遠端における球面収差（ＳＡ）、非点収差（ＡＳ）、歪曲収差（ＤＴ）、倍率色収差（ＣＣ）を示す。各図中、”ＦＩＹ”は最大像高を示す。
【０１３４】
各実施例の条件式対応値を以下に掲げる。
実施例1    実施例2    実施例3    実施例4    
(1) (5)                     0.308      0.331      0.300      0.309   
(2) (6)                    -0.152     -0.173     -0.150     -0.154  
(3)                         7.888      8.148     11.092     10.502  
(4)                         1.224      1.187      0.867      0.917  
(7)                         9.667      9.697      9.624      9.605  
(8) (9)                     2.528      2.582      2.495      2.503  
(10)                       46.31      46.31      46.31      46.31  
(11)                       46.36      36.43      46.36      46.36   
(12)                        1.400      1.526      1.532      1.406   
(13)                       -3.544     -1.252     -3.134     -2.116  
(14)                         -         0.295         -        -  
(15)                        2.189      2.515      3.200      2.989 
(16)                        1.281      1.305      1.298      1.294 
実施例5    実施例6    実施例7    実施例8   
(1) (5)                     0.311      0.314      0.314      0.309     
(2) (6)                    -0.156     -0.157     -0.156     -0.154   
(3)                        11.799     10.085      8.896      9.562     
(4)                         0.814      0.957      1.082      1.007    
(7)                         9.553      9.666      9.634      9.662    
(8) (9)                     2.507      2.509      2.501      2.508    
(10)                       46.31      46.31      46.31      46.31  
(11)                       46.36      46.36      46.36      46.36      
(12)                        1.457      1.405      1.158      1.167    
(13)                       -1.256     -2.251     -2.333     -2.236   
(14)                         -          -          -         0.290    
(15)                        3.339      2.885      2.453      2.620  
(16)                        1.291      1.291      1.295      1.291  
実施例9    実施例10   実施例11 
(1) (5)                     0.314      0.252      0.253  
(2) (6)                    -0.157     -0.124     -0.124  
(3)                         9.323      8.060      7.794  
(4)                         1.031      1.190      1.226  
(7)                         9.616      9.611      9.568  
(8) (9)                     2.502      2.595      2.586  
(10)                       46.31      56.44      56.44   
(11)                       46.36      31.2865    30.43   
(12)                        1.193      0.470      0.515  
(13)                       -2.249      0.051      0.117  
(14)                        0.287       -          -     
(15)                        2.527      2.848      2.761  
(16)                        1.294      1.201      1.206  
【０１３５】
（歪曲収差の補正）
ところで、本発明のズームレンズを用いたときに、像の歪曲は電気的にデジタル補正する。そのため、広角端付近での像高ＩＨを小さくし、広角端付近での有効撮像領域をたる型にしている。
以下に、像の歪曲をデジタル補正するための基本的概念について説明する。
【０１３６】
例えば、図２３に示すように、光軸と撮像面との交点を中心として有効撮像面の長辺に内接する半径Ｒの円周上（像高）での倍率を固定し、この円周を補正の基準とする。そして、それ以外の任意の半径ｒ（ω）の円周上（像高）の各点を略放射方向に移動させて、半径ｒ'（ω）となるように同心円状に移動させることで補正する。
【０１３７】
例えば、図２３において、半径Ｒの円の内側に位置する任意の半径ｒ1（ω）の円周上の点Ｐ1は、円の中心に向けて補正すべき半径ｒ1'（ω）円周上の点Ｐ2に移動させる。また、半径Ｒの円の外側に位置する任意の半径ｒ2（ω）の円周上の点Ｑ1は、円の中心から離れる方向に向けて補正すべき半径ｒ2'（ω）円周上の点Ｑ2に移動させる。
【０１３８】
ここで、ｒ'（ω）は次のように表すことができる。
ｒ'（ω）＝α・ｆ・ｔａｎω    （０≦α≦１）
ただし、
ωは被写体半画角、ｆは結像光学系（本発明では、ズームレンズ）の焦点距離、
αは０以上１以下である。
【０１３９】
ここで、半径Ｒの円上（像高）に対応する理想像高をＹとすると、
α＝Ｒ／Ｙ＝Ｒ／（ｆ・ｔａｎω）
となる。
【０１４０】
光学系は、理想的には、光軸に対して回転対称であり、すなわち歪曲収差も光軸に対して回転対称に発生する。したがって、上述のように、光学的に発生した歪曲収差を電気的に補正する場合には、再現画像上で光軸と撮像面との交点を中心とした有効撮像面の長辺に内接する半径Ｒの円の円周上（像高）の倍率を固定して、それ以外の半径ｒ（ω）の円周上（像高）の各点を略放射方向に移動させて、半径ｒ'（ω）となるように同心円状に移動させることで補正することができれば、データ量や演算量の点で有利と考えられる。
【０１４１】
ところが、光学像は、電子撮像素子で撮像された時点で（サンプリングのため）連続量ではなくなる。したがって、厳密には光学像上に描かれる上記半径Ｒの円も、電子撮像素子上の画素が放射状に配列されていない限り正確な円ではなくなる。
【０１４２】
つまり、離散的座標点毎に表される画像データの形状補正においては、上記倍率を固定できる円は存在しない。そこで、各画素（Ｘi，Ｙj）毎に、移動先の座標（Ｘi'，Ｙj' ）を決める方法を用いるのがよい。なお、座標（Ｘi'，Ｙj'）に（Ｘi，Ｙj）の２点以上が移動してきた場合には、各画素が有する値の平均値をとる。また、移動してくる点がない場合には、周囲のいくつかの画素の座標（Ｘi'，Ｙj'）の値を用いて補間すればよい。
【０１４３】
このような方法は、特にズームレンズを有する電子撮像装置において光学系や電子撮像素子の製造誤差等のために光軸に対して歪みが著しく、光学像上に描かれる上記半径Ｒの円が非対称になった場合の補正に有効である。また、撮像素子あるいは各種出力装置において信号を画像に再現する際に幾何学的歪み等が発生する場合等の補正に有効である。
【０１４４】
本発明の電子撮像装置では、補正量ｒ’（ω）−ｒ（ω）を計算するために、ｒ（ω）すなわち半画角と像高との関係、あるいは、実像高ｒと理想像高ｒ’／αとの関係が、電子撮像装置に内蔵された記録媒体に記録されている構成としてもよい。
【０１４５】
なお、歪曲補正後の画像が短辺方向の両端において光量が極端に不足することのないようにするには、半径Ｒが、次の条件式を満足するのがよい。
【０１４６】
０≦Ｒ≦０．６Ｌs 
ただし、Ｌsは有効撮像面の短辺の長さである。
【０１４７】
好ましくは、半径Ｒは、次の条件式を満足するのがよい。
０．３Ｌs≦Ｒ≦０．６Ｌs
さらには、半径Ｒは、略有効撮像面の短辺方向の内接円の半径に一致させるのが最も有利である。なお、半径Ｒ＝０の近傍、すなわち、軸上近傍において倍率を固定した補正の場合は、画質の面で若干の不利があるが、広画角化しても小型化にするための効果は確保できる。
【０１４８】
なお、補正が必要な焦点距離区間については、いくつかの焦点ゾーンに分割する。そして、該分割された焦点ゾーン内の望遠端近傍で略、
ｒ’（ω）＝α・ｆ・ｔａｎω
を満足する補正結果が得られる場合と同じ補正量で補正してもよい。
【０１４９】
ただし、その場合、分割された焦点ゾーン内の広角端において樽型歪曲量がある程度残存してしまう。また、分割ゾーン数を増加させてしまうと、補正のために必要な固有データを記録媒体に余計に保有する必要が生じあまり好ましくない。そこで、分割された焦点ゾーン内の各焦点距離に関連した１つ又は数個の係数を予め算出しておく。この係数は、シミュレーションや実機による測定に基づいて決定しておけばよい。
【０１５０】
そして、分割されたゾーン内の望遠端近傍で略、
ｒ’（ω）＝α・ｆ・ｔａｎω
を満足する補正結果が得られる場合の補正量を算出し、この補正量に対して焦点距離毎に係数を一律に掛けて最終的な補正量にしてもよい。
【０１５１】
ところで、無限遠物体を結像させて得られた像に歪曲がない場合は、
ｆ＝ｙ／ｔａｎω
が成立する。
ただし、ｙは像点の光軸からの高さ（像高）、ｆは結像系（本発明ではズームレンズ）の焦点距離、ωは撮像面上の中心からｙの位置に結ぶ像点に対応する物点方向の光軸に対する角度（被写体半画角）である。
【０１５２】
結像系に樽型の歪曲収差がある場合は、
ｆ＞ｙ／ｔａｎω
となる。つまり、結像系の焦点距離ｆと、像高ｙとを一定とすると、ωの値は大きくなる。
【０１５３】
（光路折り曲げ式デジタルカメラ）
さて、以上のような本発明のズームレンズで物体像を形成しその像をＣＣＤ等の電子撮像素子に受光させて撮影を行う電子撮影装置、とりわけデジタルカメラやビデオカメラ等に用いることができる。以下に、その実施形態を例示する。
【０１５４】
図２４〜図２６は、本発明によるズームレンズをデジタルカメラの撮影光学系１４１に組み込んだ構成の概念図を示す。図２４はデジタルカメラ１４０の外観を示す前方斜視図、図２５は同後方斜視図、図２６はデジタルカメラ１４０の構成を示す断面図である。デジタルカメラ１４０は、この例の場合、撮影用光路１４２を有する撮影光学系１４１、ファインダー用光路１４４を有するファインダー光学系１４３、シャッター１４５、フラッシュ１４６、液晶表示モニター１４７等を含み、カメラ１４０の上部に配置されたシャッター１４５を押圧すると、それに連動して撮影光学系１４１、例えば実施例１の光路折り曲げズームレンズを通して撮影が行われる。撮影光学系１４１によって形成された物体像が、近赤外カットフィルターと光学的ローパスフィルターＦを介してＣＣＤ１４９の撮像面上に形成される。このＣＣＤ１４９で受光された物体像は、処理手段１５１を介し、電子画像としてカメラ背面に設けられた液晶表示モニター１４７に表示される。また、この処理手段１５１には記録手段１５２が接続され、撮影された電子画像を記録することもできる。なお、この記録手段１５２は処理手段１５１と別体に設けてもよいし、フレキシブルディスクやメモリーカード、ＭＯ等により電子的に記録書込を行うように構成してもよい。また、ＣＣＤ１４９に代わって銀塩フィルムを配置した銀塩カメラとして構成してもよい。
【０１５５】
さらに、ファインダー用光路１４４上にはファインダー用対物光学系１５３が配置してある。このファインダー用対物光学系１５３によって形成された物体像は、像正立部材であるポロプリズム１５５の視野枠１５７上に形成される。このポリプリズム１５５の後方には、正立正像にされた像を観察者眼球Ｅに導く接眼光学系１５９が配置されている。なお、撮影光学系１４１及びファインダー用対物光学系１５３の入射側、接眼光学系１５９の射出側にそれぞれカバー部材１５０が配置されている。
【０１５６】
このように構成されたデジタルカメラ１４０は、撮影光学系１４１が１０倍程度の高変倍比で、高い光学性能を有するズームレンズであるので、高性能で、奥行き方向が極めて薄い安価なデジタルカメラが実現できる。
【０１５７】
なお、図２６の例では、カバー部材１５０として平行平面板を配置しているが、省いてもよい。
歪曲収差補正回路
【０１５８】
（内部回路構成）
図２７は、上記デジタルカメラ１４０の主要部の内部回路の構成ブロック図である。なお、以下の説明では、上記の処理手段は、例えばＣＤＳ／ＡＤＣ部１２４、一時記憶メモリ１１７、画像処理部１１８等からなり、記憶手段は、例えば記憶媒体部１１９等からなる。
【０１５９】
図２７に示すように、デジタルカメラ１４０は、操作部１１２と、この操作部１１２に接続された制御部１１３と、この制御部１１３の制御信号出力ポートにバス１１４及び１１５を介して接続された撮像駆動回路１１６並びに一時記憶メモリ１１７、画像処理部１１８、記憶媒体部１１９、表示部１２０、及び設定情報記憶メモリ部１２１を備えている。
【０１６０】
上記の一時記憶メモリ１１７、画像処理部１１８、記憶媒体部１１９、表示部１２０、及び設定情報記憶メモリ部１２１は、バス１２２を介して相互にデータの入力又は出力が可能なように構成され、また、撮像駆動回路１１６には、ＣＣＤ１４９とＣＤＳ／ＡＤＣ部１２４が接続されている。
【０１６１】
操作部１１２は各種の入力ボタンやスイッチを備え、これらの入力ボタンやスイッチを介して外部（カメラ使用者）から入力されるイベント情報を制御部に通知する回路である。
【０１６２】
制御部１１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ１４０全体を制御する回路である。
【０１６３】
ＣＣＤ１４９は、本発明による撮影光学系１４１を介して形成された物体像を受光する。ＣＣＤ１４９は、撮像駆動回路１１６により駆動制御され、その物体像の各画素ごとの光量を電気信号に変換してＣＤＳ／ＡＤＣ部１２４に出力する撮像素子である。
【０１６４】
ＣＤＳ／ＡＤＣ部１２４は、ＣＣＤ１４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１１７に出力する回路である。
【０１６５】
一時記憶メモリ１１７は、例えばＳＤＲＡＭ等からなるバッファであり、ＣＤＳ／ＡＤＣ部１２４から出力される上記ＲＡＷデータを一時的に記憶するメモリ装置である。画像処理部１１８は、一時記憶メモリ１１７に記憶されたＲＡＷデータ又は記憶媒体部１１９に記憶されているＲＡＷデータを読み出して、制御部１１３から指定された画質パラメータに基づいて歪曲収差補正を含む各種画像処理を電気的に行う回路である。
【０１６６】
記録媒体部１１９は、例えばフラッシュメモリ等からなるカード型又はスティック型の記録媒体を着脱自在に装着して、それらカード型又はスティック型のフラッシュメモリに、一時記憶メモリ１１７から転送されるＲＡＷデータや画像処理部１１８で画像処理された画像データを記録して保持する装置の制御回路である。
【０１６７】
表示部１２０は、液晶表示モニターを備え、その液晶表示モニターに画像や操作メニュー等を表示する回路である。設定情報記憶メモリ部１２１には、予め各種の画質パラメータが格納されているＲＯＭ部と、そのＲＯＭ部から読み出された画質パラメータの中から操作部１１２の入力操作によって選択された画質パラメータを記憶するＲＡＭ部が備えられている。設定情報記憶メモリ部１２１は、それらのメモリへの入出力を制御する回路である。
【０１６８】
このように構成されたデジタルカメラ１４０は、撮影光学系１４１が、本発明により、十分な広角域を有し、コンパクトな構成としながら、高変倍で全変倍域で結像性能が極めて安定的であるので、高性能・小型化・広画角化が実現できる。そして、広角側、望遠側での速い合焦動作が可能となる。
【産業上の利用可能性】
【０１６９】
以上のように、本発明にかかるズームレンズは、高い光学性能の維持と低コスト化に有用であり、特に、ＣＣＤやＣＭＯＳ等の電子撮像素子を備える撮像装置の光学系に適している。
【符号の説明】
【０１７０】
Ｇ１…第１レンズ群
Ｇ２…第２レンズ群
Ｇ３…第３レンズ群
Ｇ４…第４レンズ群
Ｇ５…第５レンズ群
Ｇ６…第６レンズ群
Ｓ…開口絞り
Ｆ…ローパスフィルタ
Ｃ…カバーガラス
Ｐ…プリズム
Ｉ…像面
１１２…操作部
１１３…制御部
１１４…バス
１１５…バス
１１６…撮像駆動回路
１１７…一時記憶メモリ
１１８…画像処理部
１１９…記憶媒体部
１２０…表示部
１２１…設定情報記憶メモリ部
１２２…バス
１２４…ＣＤＳ／ＡＤＣ部
１４０…デジタルカメラ
１４１…撮影光学系
１４２…撮影用光路
１４３…ファインダー光学系
１４４…ファインダー用光路
１４５…シャッターボタン
１４６…フラッシュ
１４７…液晶表示モニター
１４９…ＣＣＤ
１５０…カバー部材
１５１…処理手段
１５２…記録手段
１５３…ファインダー用対物光学系
１５５…正立プリズム
１５７…視野枠
１５９…接眼光学系
【図１】
0005690211.tif 000002
【図２】
0005690211.tif 000003
【図３】
0005690211.tif 000004
【図４】
0005690211.tif 000005
【図５】
0005690211.tif 000006
【図６】
0005690211.tif 000007
【図７】
0005690211.tif 000008
【図８】
0005690211.tif 000009
【図９】
0005690211.tif 000010
【図１０】
0005690211.tif 000011
【図１１】
0005690211.tif 000012
【図１２】
0005690211.tif 000013
【図１３】
0005690211.tif 000014
【図１４】
0005690211.tif 000015
【図１５】
0005690211.tif 000016
【図１６】
0005690211.tif 000017
【図１７】
0005690211.tif 000018
【図１８】
0005690211.tif 000019
【図１９】
0005690211.tif 000020
【図２０】
0005690211.tif 000021
【図２１】
0005690211.tif 000022
【図２２】
0005690211.tif 000023
【図２３】
0005690211.tif 000024
【図２４】
0005690211.tif 000025
【図２５】
0005690211.tif 000026
【図２６】
0005690211.tif 000027
【図２７】
0005690211.tif 000028